(57)【要約】      （修正有）【課題】おむつのごみを処分するための、衛生的で容易に用いることができる手段を備えるごみ貯留機器を提供する。【解決手段】ごみ貯蔵カセットを受け入れる小室１３２を含んだごみ貯蔵機器であって、前記小室は、前記小室内で回転可能で、ごみを包むための袋織りを入れているカセットを備える。前記機器はその間に、ごみの入口および喉部領域をさらに含み、解放可能な把持装置は、喉部に供えられており、その間を通るごみの通路のための開口部を設ける解放された状態と、喉部に絞りを設ける把持している状態と、の間の操作のために配置されている。【選択図】図２
2010064899.tif 000002
【特許請求の範囲】
【請求項１】
ごみ貯蔵機器であって、
前記機器は、ごみ貯蔵カセットを受け入れる小室を備え、前記小室は、前記小室内で回転可能であり、ごみ注入口と喉部との間でごみを包むための袋織りを入れ得るカセットを受け入れ、
前記機器は、前記喉部に備えられ、その間を通過するごみの通路のための開口部を画定する解放された状態と、前記喉部において絞りを設ける把持している状態との間の操作のために配置されている、解放可能な把持装置をさらに具備する、ごみ貯蔵機器。
【請求項２】
前記解放可能な把持装置は、把持している状態において、使用の際、ごみ貯蔵カセットから袋織りを集めて絞りを形成するように配置されている、請求項１に記載のごみ貯蔵機器。
【請求項３】
前記解放可能な把持装置は、解放された状態と把持している状態との間で回転可能である、請求項１または請求項２に記載のごみ貯蔵機器。
【請求項４】
前記解放可能な把持装置の回転のためにそこに据え付けられている回転装置をさらに具備する、請求項３に記載のごみ貯蔵機器。
【請求項５】
前記回転装置は、前記ごみ貯蔵カセットを受け入れる小室内でのごみ貯蔵カセットの回転のためにさらに構成されている、請求項４に記載のごみ貯蔵機器。
【請求項６】
前記解放可能な把持装置が、使用の際、前記集められた袋織りに関して前記ごみ貯蔵カセットを回転させるために、前記集められた袋織りを、絞りの状態において実質上静止して保持するようにさらに配置されている、請求項１ないし５のいずれか１項に記載のごみ貯蔵機器。
【請求項７】
前記解放可能な把持装置は、
回転可能な部分と、
回転不可能な部分と、
前記把持している状態において互いに交差して延在するように配置されており、各々は前記回転部分から延在している第１の端部と、前記固定されている部分から延在している第２の端部と、を有する少なくとも２つの弾性部材と、
を含む、請求項３ないし６のいずれか１項に記載のごみ貯蔵機器。
【請求項８】
前記解放可能な把持装置は、使用の際、回転可能な係合のためにごみ貯蔵カセット上の協働する構成物と係合するように配置されている構成物を含む、請求項１ないし７のいずれか１項に記載のごみ貯蔵機器。
【請求項９】
前記解放可能な把持装置は、前記解放可能な把持装置が把持している状態にあるとき、前記回転装置と係合しないように配置されている、請求項３ないし８のいずれか１項に記載のごみ貯蔵機器。
【請求項１０】
前記構成物は、使用の際、前記解放可能な把持装置を、把持している状態から解放された状態まで解放するように配置されている移動可能な突起を具備する、請求項７に従属するときに請求項７または請求項８に記載のごみ貯蔵機器。
【請求項１１】
使用の際、前記把持装置を把持している状態でロックするために、前記移動可能な突起と係合するように配置されている突出部をさらに具備する、請求項１０に記載にごみ貯蔵機器。
【請求項１２】
前記機器は、使用の際、ごみ貯蔵カセットからの柔軟な袋織りを用いる複数のごみを個々に包むために配置されている、請求項１ないし１１のいずれか１項に記載のごみ貯蔵機器。
【請求項１３】
使用の際、ごみカセット回転装置が前記ごみカセットを受け入れる小室内の回転を完了したときに、使用者にフィードバックを提供するように配置されているデテントをさらに具備する、請求項１ないし１２のいずれか１項に記載のごみ貯蔵機器。
【請求項１４】
前記喉部に少なくとも部分的に延在するように配置されているピストンをさらに具備する、請求項１ないし１３のいずれか１項に記載のごみ貯蔵機器。
【請求項１５】
前記ピストンは往復可能である、請求項１４に記載のごみ貯蔵機器。
【請求項１６】
前記ピストンは、前記喉部内の広範な場所にロック可能である、請求項１５に記載のごみ貯蔵機器。
【請求項１７】
ハウジングと、
ごみを包むための袋織りを入れているごみ貯蔵カセットを受け入れるための前記ハウジング内に画定されたごみカセットを受け入れる小室と、
ごみ貯蔵容器内への包まれたごみの通路のための喉部と、
そこにしっかりと据え付けられているピストンを含むカバーと、
を含むごみ貯蔵機器であって、
前記ピストンは、少なくとも部分的に前記喉部内に延在するために前記カバー内で移動可能である、ごみ貯蔵機器。
【請求項１８】
前記ピストンは、前記喉部の方向に向かって先細になっている、請求項１７に記載のごみ貯蔵機器。
【請求項１９】
前記カバーは、開閉可能な蓋を含む、請求項１７または請求項１８に記載のごみ貯蔵機器。
【請求項２０】
前記ピストンは、前記蓋に固定されている、請求項１８に記載のごみ貯蔵機器。
【請求項２１】
前記ピストンは、前記喉部から離れた方向にバイアスされている請求項１７ないし２０のいずれか１項に記載のごみ貯蔵機器。
【請求項２２】
前記喉部に備えられ、ごみが通過する通路のための開口部を設ける解放された状態と、前記喉部内に絞りを設ける把持している状態との間の操作のために配置されている、解放可能な把持装置をさらに具備する、請求項１６ないし２１のいずれか１項に記載のごみ貯蔵機器。
【請求項２３】
前記ピストンは、使用の際、測定された量の柔軟な袋織りをごみ貯蔵カセットから分配するように配置されている、請求項１７ないし２２のいずれか１項に記載のごみ貯蔵機器。
【請求項２４】
前記ピストンは、使用の際、以前に形成されたごみパッケージを、前記ごみ貯蔵機器のごみ貯蔵コンパートメントに向かって促すように配置されている、請求項１７ないし２３のいずれか１項に記載のごみ貯蔵機器。
【請求項２５】
ごみを包むための袋織りを貯蔵するための、ごみ貯蔵機器におけるごみ貯蔵カセットであって、
使用の際、袋織りが通過する開口部を設ける壁を有し、
前記ごみ貯蔵カセットは、使用の際、ごみ貯蔵機器上の協働する構成物と係合するためと、前記ごみ貯蔵機器内の解放可能な把持装置の操作のためと、の構成物をさらに具備する、ごみ貯蔵機器におけるごみ貯蔵カセット。
【請求項２６】
ごみカセット回転装置上の協働する係合手段と係合するための係合手段をさらに具備する、請求項２５に記載のごみ貯蔵カセット。
【請求項２７】
前記カセット上の前記構成物は、ごみ貯蔵機器内の解放可能な把持装置上の協働する構成物と回転可能に係合するように配置されている、請求項２５または請求項２６に記載のごみ貯蔵カセット。
【請求項２８】
把持している状態から解放された状態までの前記解放可能な装置の操作のために、解放可能な把持装置上の前記協働する構成物と回転可能に係合するように配置されている第２の構成物をさらに具備する、請求項２７に記載のごみ貯蔵カセット。
【請求項２９】
ごみを包むための袋織りを貯蔵するための、ごみ貯蔵機器におけるごみ貯蔵カセットであって、
使用の際、袋織りが通過する開口部を画定する外壁および内壁を有し、
前記ごみ貯蔵カセットは、前記外壁から前記内壁に向かって少なくとも部分的に延在する複数の突起をさらに具備する、ごみ貯蔵機器におけるごみ貯蔵カセット。
【請求項３０】
ごみを包むための袋織りを入れているごみカセットを受け入れるように配置されているごみ貯蔵機器における解放可能な把持装置であって、
前記解放可能な把持装置は、ごみが通過する通路のための開口部を設ける解放された状態と、絞りを設ける把持している状態との間の操作のために配置されている、解放可能な把持装置。
【請求項３１】
ごみ注入口と、喉部との間にカセットを受け入れるための、ごみ貯蔵カセットを受け入れる小室を含むごみ貯蔵機器であって、
前記機器は、前記喉部に備えられ、その間を通過するごみの通路のための開口部を設ける解放された状態と、前記喉部において絞りを設ける把持している状態との間の操作のために配置されている、解放可能な把持装置をさらに具備し、
前記機器は、
前記ごみ貯蔵カセットを受け入れる小室内で回転可能で、ごみを包むための袋織りを貯蔵するために前記喉部領域に備えられている、ごみ貯蔵カセットをさらに具備し、
使用の際、袋織りが通過する開口部を設ける壁を有し、
前記ごみ貯蔵カセットは、前記解放可能な把持装置の操作のために、前記ごみ貯蔵機器上の協働する構成物と係合する、ごみ貯蔵機器。
【請求項３２】
ごみ注入口と、喉部との間にカセットを受け入れるための、ごみ貯蔵カセットを受け入れる小室を含むごみ貯蔵機器であって、
前記機器は、
前記喉部に備えられ、その間を通過するごみの通路のための開口部を設ける解放された状態と、前記喉部において絞りを設ける把持している状態と、の間の操作のために配置されている、解放可能な把持装置をさらに具備し、
前記機器は、
前記ごみ貯蔵カセットを受け入れる小室内で回転可能で、使用の際、袋織りが通過する開口部を画定する外壁及び内壁を有し、ごみを包むための袋織りを貯蔵するために前記喉部領域に備えられている、ごみ貯蔵カセットをさらに具備し、
前記ごみ貯蔵カセットは、前記外壁から前記内壁に向かって少なくとも部分的に延在する複数の突起をさらに具備する、ごみ貯蔵機器。
【請求項３３】
ごみを包むための袋織りを入れているカセットを受け入れるためのごみ貯蔵カセットを受け入れる小室を含むごみ貯蔵機器であって、
前記機器は、使用の際、袋織りの一部を集めて絞りを形成するように、および前記集められた袋織りに関して回転させるために前記集められた袋織りを実質上静止して保持するように、配置されている装置を含む、ごみ貯蔵機器。
【請求項３４】
前記装置は、集める位置と解放する位置との間で開閉可能である、請求項３３に記載のごみ貯蔵機器。
【請求項３５】
実質上、添付図面のあらゆる組み合わせを参照して、本明細書で説明および図解されている、ごみ貯蔵機器。
【請求項３６】
ごみ貯蔵機器であって、
前記機器は、ごみ貯蔵カセットを受け入れる小室を備え、前記小室は、前記小室内で回転可能であり、ごみ注入口と喉部との間でごみを包むための袋織りを入れ得るカセットを受け入れ、
前記機器は、前記喉部に備えられ、その間を通過するごみの通路のための開口部を設ける解放された状態と、前記喉部において絞りを設ける把持している状態との間の操作のために配置されている、解放可能な把持装置をさらに具備し、
前記機器は、前記カセットを受け入れる小室内に受け入れられるごみを包むための袋織りを備えたカセットであって、そこから袋織りが前記喉部領域での拘束を通して引き出されることができるカセットをさらに具備する、ごみ貯蔵機器。
【請求項３７】
ハウジングと、ごみを包むための袋織りを入れているごみ貯蔵カセットを受け入れるための前記ハウジング内に設けられているごみ受け入れ小室と、ごみ貯蔵容器内への包まれたごみの通路のための喉部と、そこにしっかりと据え付けられているピストンを含むカバーと、
を含むごみ貯蔵機器であって、
前記ピストンは、少なくとも部分的に前記喉部内に延在するために前記カバー内で移動可能であり、
袋織りが前記喉部を通って引き出されるように配置されている前記ごみ受け入れ小室内の袋織りを入れているごみ貯蔵カセットをさらに具備する、ごみ貯蔵機器。
【請求項３８】
ごみを包むための袋織りを入れているカセットを受け入れるためのごみ貯蔵カセットを受け入れる小室を含むごみ貯蔵機器であって、
前記機器は、使用の際、袋織りの一部を集めて絞りを形成するように、および前記集められた袋織りに関して回転させるために前記集められた袋織りを実質上静止して保持するように、配置されている装置を含み、
前記袋織りが前記装置において集められるように配置されている前記ごみ受け入れ小室内にごみ貯蔵カセットをさらに具備する、ごみ貯蔵機器。
【請求項３９】
請求項２５ないし２９のいずれか１項に記載の、ごみ貯蔵カセットを受け入れる小室とごみ貯蔵カセットと、を含むごみ貯蔵機器、または請求項３０に記載の解放可能な把持装置を含むごみ貯蔵機器。
【発明の詳細な説明】
【技術分野】
【０００１】
本発明は、おむつのようなごみを貯蔵するごみ貯蔵機器に関する。
【背景技術】
【０００２】
おむつのごみをいかに効果的に密閉して貯蔵するかという問題はよく認識されている。通常の家庭にある容器におむつのごみを貯蔵することは可能である。しかしながら、これらには、非常に一時的な場合を除いて、おむつのごみが衛生的に貯蔵されるようにする十分な消臭効果がない。プラスチックの袋は、臭気が漏れるのを妨げるために、汚れたおむつや他のごみを包むために用いられるが、これらの袋の効果は限られており、１つのおむつを包むよりも多くのプラスチックを必要とするので、不必要なごみが出てしまう。
【０００３】
おむつのごみを密閉して貯蔵する手段を提供するための公知の機器がいくつかある。これらの機器は、プラスチックの袋織りが取り除かれるごみカセットを収納する容器を含む。使用の際、使用者はごみパッケージを作り出すために、カセットからのプラスチックの袋織りに接触して、袋織りの中におむつまたは他のごみを置く。袋織りは、ごみパッケージを密閉するためにねじられるかまたは結び目を作られる。一連のごみパッケージはその後、機器のごみ貯蔵コンパートメント内に貯蔵される。しかしながら、現在一般に入手可能なごみ機器にはいくつか問題点がある。
【０００４】
おむつのごみを貯蔵するために設計された１つの公知の機器は、ＷＯ２００５／０４２３８１（Ｓａｎｇｅｎｉｃ  Ｉｎｔｅｒｎａｔｉｏｎａｌ  Ｌｉｍｉｔｅｄ）で説明されている。ＷＯ２００５／０４２３８１によると、ごみの容器は、上述したようなごみ貯蔵カセットを収納するために備えられている。容器は、カセットがごみパッケージに対して回転している間、適切な場所でごみパッケージを保持するための把持手段を含む。このことによって、ごみパッケージの上部にはねじられた密閉が形成され、このねじられた密閉は、処分されるべき次のごみを包装するための袋織り全体のベースとしても機能する。ＷＯ２００５／０４２３８１の機器にあるごみ貯蔵コンパートメント内に、形成されたごみパッケージを向けるため、使用者は、貯蔵するためにごみ貯蔵コンパートメント内にごみパッケージを誘導するために把持手段を介してごみパッケージを手動で押す必要があるので、衛生面で懸念が生じる。さらに、形成されるべき各ごみパッケージに対して、ごみをそこに密閉するために、カセットを回転させるときも、中空を通してフィルムをカセット内に押し入れるときも、使用者は、柔軟な袋織りがどの程度ごみカセットから取り除かれているかを手動で制御しなければならない。
【０００５】
いくつかの公知のごみ貯蔵機器は重い部品を有しており、運ぶのが難しいというさらなる問題も生じる。他の公知の機器は、子供にとって十分に安全ではなく、幼い子供が機器を開けて、部品および／またはそこに貯蔵されているごみに接触するのが可能であるので、安全面で懸念が生じる。
【先行技術文献】
【特許文献】
【０００６】
【特許文献１】ＷＯ２００５／０４２３８１
【発明の概要】
【０００７】
本発明は、請求項に提示されている。ごみ貯蔵機器は、解放された状態と把持している状態との間の操作のために配置された喉部にある、解放可能な把持装置を含んで提供されている。結果として使用者は、機器を操作している間、所定の位置においてどちらが要求されているかに従って、開口部または絞りのどちらかを形成するように単純および容易に機器を操作することができる。解放された状態において、解放可能な把持装置は、喉部に、ごみの容易な通過を可能にする開口部を備える。逆に言うと、把持している状態において、把持している装置は、喉部にあるごみ貯蔵カセットからの柔軟な袋織りで形成されるべきねじれを可能にし、絞りを形成するので、柔軟な袋織りによって包まれたごみを含む密閉されたごみパッケージを作り出す。
【０００８】
少なくとも部分的に機器の喉部内に延在するために移動可能なピストンを含むごみ貯蔵機器が提供されることによって、改良された操作が成し遂げられる。特に、ピストンは喉部内に伸張すると、喉部内にある、あらゆる以前に形成されたごみパッケージがごみ貯蔵容器へと通過するのを促すように機能する。従って、使用者は、ごみパッケージを押すか、あるいは手動でごみ貯蔵容器内に向ける必要がない。さらに、ごみ貯蔵カセットを持つごみ貯蔵機器の操作において、ピストンが喉部内に伸張することによって、測定された量の柔軟な袋織りをごみ貯蔵カセットから取り除く。このことは、中に置かれるごみのための柔軟な袋織り内に縦穴（ｗｅｌｌ）または中空を作るので、機器は、柔軟な袋織りを用いてごみを密閉し、続けて使用する準備ができる。
【０００９】
本発明の実施形態の結果、おむつのごみを処分するための、衛生的で容易に用いることができる手段を備えるごみ貯蔵機器が提供されている。さらに、おむつのごみによってもたらされる環境的な問題を減らすために、個々にごみを密閉する際にできる限り少量のプラスチックまたは他のフィルムを用いる、ごみを貯蔵する解決策が提供されている。ごみを個々に密閉すると同時に、用いるプラスチックの量を減らすことを考慮することによって、本発明は、衛生的および環境的な優しさの両方を兼ね備えた最適なバランスを備えている。
【００１０】
本発明の実施形態は、例として、以下の図を参照して説明される。
【図面の簡単な説明】
【００１１】
【図１】本発明の実施形態による、ごみ貯蔵機器の斜視図である。
【図２】蓋が開いた状態の、図１のごみ貯蔵機器の斜視図である。
【図３ａ】本発明の実施形態による、ピストンを含むごみ貯蔵機器の蓋を下から見た斜視図である。
【図３ｂ】図３ａの蓋の底面図である。
【図３ｃ】図３ａおよび３ｂの蓋の上面図である。
【図３ｄ】図３ａないし３ｃの蓋の側面図である。
【図３ｅ】ピストンを含まない、本発明の実施形態による蓋の上面斜視図である。
【図３ｆ】ごみ貯蔵機器に取り付けられている状態の、図３ａないし３ｄの蓋の正面部分の断面図である。
【図４ａ】本発明の実施形態による、ごみ貯蔵機器のカバーの上面斜視図である。
【図４ｂ】図４ａのごみ貯蔵機器のカバーの底面斜視図である。
【図４ｃ】図４ａおよび４ｂのごみ貯蔵機器のカバーの底面図である。
【図４ｄ】図４ａないし４ｃのごみ貯蔵機器のカバーの上面図である。
【図５】図４ａないし４ｃのごみ貯蔵機器のカバーのためのインサートの斜視図である。
【図６】図１の蓋が開いた状態のごみ貯蔵機器の、ごみ貯蔵カセットを受け入れる小室の拡大図である。
【図７ａ】蓋が開いた状態にあり、ごみ貯蔵カセットがその中に収納されている状態にある、図１のごみ貯蔵機器の斜視図である。
【図７ｂ】ごみ貯蔵カセットが収納されていない状態の、図７ａのごみ貯蔵機器の断面図である。
【図８ａ】本発明の実施形態による、クラウンじょうごの斜視図である。
【図８ｂ】図８ａのクラウンじょうごの側面図である。
【図８ｃ】図８ａおよび８ｂのクラウンじょうごの上面図である。
【図８ｄ】図８ａないし８ｃのクラウンじょうごの底面図である。
【図９ａ】本発明の実施形態による、把持リングの斜視図である。
【図９ｂ】図９ａの把持リングの側面図である。
【図９ｃ】図９ａおよび９ｂの把持リングの上面図である。
【図９ｄ】図９ａないし９ｃの把持リングの底面図である。
【図１０ａ】図９ａないし９ｄの把持リングと接続している図８ａないし８ｄのクラウンじょうごの斜視図である。
【図１０ｂ】図９ａないし９ｄの把持リングと接続している図８ａないし８ｄのクラウンじょうごの側面図である。
【図１０ｃ】図９ａないし９ｄの把持リングと接続している図８ａないし８ｄのクラウンじょうごの上面図である。
【図１０ｄ】図９ａないし９ｄの把持リングと接続している図８ａないし８ｄのクラウンじょうごの底面図である。
【図１１ａ】本発明の実施形態による、絞りリングの斜視図である。
【図１１ｂ】図１１ａの絞りリングの側面図である。
【図１１ｃ】図１１ａおよび１１ｂの絞りリングの上面図である。
【図１１ｄ】図１１ａないし１１ｃの絞りリングの底面図である。
【図１２ａ】本発明の実施形態による、ごみ貯蔵カセットの斜視図である。
【図１２ｂ】図１２ａのごみ貯蔵カセットの側面図である。
【図１２ｃ】図１２ａおよび１２ｂのごみ貯蔵カセットの断面図である。
【図１２ｄ】図１２ａないし１２ｃのごみ貯蔵カセットの上面図である。
【図１２ｅ】図１２ａないし１２ｄのごみ貯蔵カセットの一部の断面図である。
【図１３】図１２ａないし１２ｄのカセットのドライブタブの拡大図である。
【図１４】図１２ａないし１２ｄのカセットの解放タブの拡大図である。
【図１５ａ】把持装置が開いた状態の、ごみ貯蔵カセットを含む、図６の小室を受け入れるごみカセットの図である。
【図１５ｂ】把持装置が部分的に閉じた状態の、図１５ａの小室を受け入れるごみカセットの図である。
【図１６】本発明の実施形態による、ごみ貯蔵容器の斜視図である。
【図１７】本発明の代替の実施形態による、ごみ貯蔵機器の斜視図である。
【図１８】本発明の代替の実施形態による、ピストンの斜視図である。
【図１９】本発明の代替の実施形態による、蓋に適応される、図１８のピストンの側面図である。
【図２０】ピストンおよび図１９の蓋の上面図である。
【図２１】図２０にある“Ａ”部分の拡大図である。
【図２２】ピストンおよび図１９の蓋を下から見た図である。
【図２３】蓋が開いた状態にあり、ピストンが上げられた状態にある、図１７のごみ貯蔵機器の斜視図である。
【図２４】本発明の代替の実施形態による、ごみ貯蔵機器のカバーのためのインサートの斜視図である。
【図２５】本発明の代替の実施形態による、把持リングおよび絞りリングの斜視図である。
【図２６】図２５の絞りリングおよびクラウンじょうごを含む、本発明の代替の実施形態による、把持装置の斜視図である。
【図２７】本発明の代替の実施形態による、ごみ貯蔵カセットの上面図である。
【図２８】本発明のさらなる代替の実施形態による、ごみ貯蔵カセットの上面図である。
【図２９】本発明の代替の実施形態による、ごみ貯蔵容器の斜視図である。
【図３０】添付文書１に記載の、第１段階の操作における、本発明の代替の実施例の図である。
【図３１】第２段階の操作における、図３０の代替の実施例の図である。
【図３２】第３段階の操作における、図３０の代替の実施例の図である。
【図３３】第４段階の操作における、図３０の代替の実施例の図である。
【図３４】第５段階の操作における、図３０の代替の実施例の図である。
【図３５】第６段階の操作における、図３０の代替の実施例の図である。
【図３６】図３０に示されている第１段階の操作の斜視図である。
【図３７】添付文書１に記載の、開いた状態にある、本発明の可能な実施例の斜視図である。
【図３８】閉じた状態にある、図３７の本発明の実施例の斜視図である。
【図３９】添付文書１に記載の、第１段階の操作における、本発明のさらなる代替の実施例の図である。
【図４０】第２段階の操作における、図３９のさらなる代替の実施例の図である。
【図４１】第３段階の操作における、図３９のさらなる代替の実施例の図である。
【図４２】第４段階の操作における、図３９のさらなる代替の実施例の図である。
【図４３】第５段階の操作における、図３９のさらなる代替の実施例の図である。
【図４４】添付文書１に記載の、第１段階の操作における、本発明のさらに他の代替の実施例の図である。
【図４５】第２段階の操作における、図４４のさらに他の代替の実施例の図である。
【図４６】添付文書１に記載の、本発明のもう１つの代替の実施例の図である。
【図４７】第１段階の操作における、図４６のもう１つの代替の実施例の概要図である。
【図４８】第２段階の操作における、図４６のもう１つの代替の実施例の概要図である。
【図４９】第３段階の操作における、図４６のもう１つの代替の実施例の概要図である。
【図５０】第４段階の操作における、図４６のもう１つの代替の実施例の概要図である。
【図５１】添付文書１に記載の、第１段階の操作におけるさらにもう１つの実施の図である。
【図５２】第２段階の操作における、図５１のさらにもう１つの実施の図である。
【図５３】第３段階の操作における、図５１のさらにもう１つの実施の図である。
【図５４】図５１に示されている第１段階の操作の概要図である。
【図５５】図５２に示されている第２段階の操作の概要図である。
【図５６】図５３に示されている第３段階の操作の概要図である。
【図５７】添付文書１に記載の、第１段階の操作における、本発明のさらなるほかの実施の図である。
【図５８】第２段階の操作における、図５７のさらなる他の実施の図である。
【図５９】第３段階の操作における、図５７のさらなる他の実施の図である。
【図６０】第４段階の操作における、図５７のさらなる他の実施の図である。
【図６１】第５段階の操作における、図５７のさらなる他の実施の図である。
【発明を実施するための形態】
【００１２】
概要として、ごみ貯蔵機器は、ごみを包むための柔軟な袋織りを含むごみ貯蔵カセットを受け取るように提供されている。機器は、密閉されたごみパッケージを提供するために、ごみ上方の袋織りにねじれを形成するように、柔軟な袋織りに絞りを作り出すための解放可能な把持装置を含む。ごみ貯蔵機器は、機器にあるごみが置かれるごみの通路に袋織りに対する中空を作り出すためと、以前に形成されたごみパッケージを、下方のごみ貯蔵容器内に促すためと、のピストンをさらに含む。
【００１３】
さらに備えられているのは、ごみを包むためのごみ貯蔵機器と共に用いられるごみ貯蔵カセットである。カセットは、機器内の解放可能な把持装置の作動のための、ごみ貯蔵機器にある対応する機構と係合する少なくとも１つの機構を含む。随意に、カセットは、ごみ貯蔵機器内のごみカセット回転装置にある対応する機構と相互係合するためのさらなる構成物を含む。
【００１４】
ごみ貯蔵機器
図１を参照して、ごみ貯蔵機器の実施形態がより詳しく説明されている。ごみ貯蔵機器１００は、取り外し可能なカバー１０４を有するごみ貯蔵容器１０２を含む。以下でより詳細に説明されているように、ごみを包むための柔軟な袋織りを有するごみ貯蔵カセットを受け入れるためのごみ貯蔵カセットを受け入れる小室を含み、さらに、柔軟な袋織り状の密閉されたごみパッケージを作り出すために、ごみ貯蔵カセットを受け入れる小室に関してごみ貯蔵カセットを回転させるための手段も含む。ごみ貯蔵容器１０２および取り外し可能なカバー１０４は、タブおよび協働する凹所のような適切な手段によって整合されている。
【００１５】
カバーおよび蓋
取り外し可能なカバー１０４は、蓋１０６を含む。使用者がカバー１０４の内部に接近して操作できるように、蓋１０６はカバー１０４に蝶番で取り付けられているのが好ましい。
【００１６】
図２は、蓋１０６が開いた状態のごみ貯蔵機器１００の実施形態を示している。さらに、図３ａないし３ｅに示されているように、ピストン（plunger）１０８は、蓋１０６の下部面から下方へ延在している。ピストンは、蓋に関して固定されているので、蓋の動きに伴いピストンも動く。ピストン１０８および蓋１０６は、ピストン１０８の延長方向に沿った共通の中心軸を共有するのが好ましい。ピストン１０８は、中空であり、蓋１０６によってカバーされている開いた上端部および閉じた下端部がある。本発明の実施形態によると、ピストン１０８は、断面において実質上環状であり、下端部に向かって半径方向内方に先細になっている。以下でより詳細に説明されているように、蓋１０６が閉じられると、この先細により、取り外し可能なカバー１０４内に設けられている喉部または他のごみの開口部内へとピストン１０８を挿入するための隙間ができる。ピストン１０８は、蓋１０８に一体的に形成されているか、または、ねじ取り付け（ｓｃｒｅｗ−ｆｉｔ）またはスナップ取り付け（ｓｎａｐ−ｆｉｔ）のような、互いに係合するいずれかの適切な手段によって蓋１０６に取り付けられている。随意に、ピストン１０８の上端部をカバーする蓋１０６の一部は取り外し可能である。
【００１７】
ピストン１０８を支持するために、また、蓋１０６がその重みを受けて歪むのを防ぐために、蓋１０６の下部面には複数の支持リブ１０７が備えられている。
【００１８】
支持リブ１０７は、ピストン１０８の上端部の円周を囲んで互いに離れて一定の間隔を空けられ、各リブ１０７は、そこから半径方向外方へ延在するのが好ましい。随意に、蓋１０６は、蓋１０６の下部面から下方へ延在している環状フランジ１０９を含み、この環状フランジ１０９は、付加的な支持を提供するために、支持リブ１０７の先端に向かってこの支持リブ１０７と交差している。
【００１９】
蓋１０６の正面には、その下部面から延在しているクリップ１１１がある。クリップ１１１は、蓋１０６を閉じた状態でカバー１０４に固定するために、取り外し可能なカバー１０４の外表面にある協働するスロットまたは凹所と互いに係合する。図３ｆに最も明確に示されているように、クリップ１１１は、カバー１０４の対応する凹所内に引っ掛かる調節および変形可能なフックであるのが好ましい。使用の際、蓋１０６が閉じられ、カバー１０４がごみ貯蔵容器１０２に取り付けられると、蓋１０６の正面下部の内表面と、カバー１０４の本体の外表面との間に隙間１１１ａの領域ができる。この隙間１１１ａの領域により、使用者は、蓋１０６の正面下部を手でつかむための接触が可能となる。好ましくは、蓋１０６の正面下部は、十分堅い材料から作られているので、使用者は、蓋１０６をその蝶番のある付属品に対してカバー１０４に向かって回転させるためにその正面下部を手動で操作するだけで、クリップ１１１は歪み、ロックされている状態から解放される。同様に、蓋１０６を、その堅い正面下部を用いて、閉じられた状態に回転させることによって、クリップ１１１をロックされた状態に戻すことができる。
【００２０】
代替の実施形態において、蓋１０６は、何らかの適切な手段を用いてカバー１０４の本体にロックすることができる。例えば、蓋１０６およびカバー１０４は、互いに係合する役割の、協働するタブおよび凹所手段を有し、その手段によって、蓋１０６は、タブを解放するボタンまたはレバーを押すことによってアンロックされる。ごみ貯蔵機器は、幼い子供を持つ忙しい親に用いられるので、使用者によって解放するのは簡単であるが、幼い子供が蓋を開けるには十分困難である方法で、蓋１０６をカバー１０４にロックするのが好ましい。使用に際して、蓋１０６は、構成部品を完全にカバー１０４内に収納するために、使用者から離れて開くのが好ましい。蓋１０６は、その蝶番のある付属品に対してカバー１０４に向かって２７０度まで回転するように配置されている。代替として、例えば、蓋の上部表面がごみ貯蔵機器１００の外壁に対して４５度の角度で停止するなど、部分的にのみ開くように配置される。
【００２１】
蓋１０６の背面端部の下部面にはさらなる複数のリブがあり、これらは互いに環状フランジ１０９の外表面から外へ向かって平行に延在しているのが好ましい。一実施形態によると、さらなる複数のリブは、２つの係合リブ１１５が置かれている２つの蝶番リブ１１３を含む。蝶番リブ１１３にはそれぞれ、その先端に向かって、穴、凹所または突出部があり、蓋１０６の外縁１１７に隣接して、カバー１０４にある対応する突出部、穴または凹所と協働し、蓋１０６とカバー１０４との間に蝶番のある付属品を形成する。係合リブ１１５は、使用の際に、カバー１０４内に収納されているごみカセット回転装置１３６にある対応する凹所と協働するように、丸端に先細になっているか、あるいは突出している。
【００２２】
ごみカセットを受け入れる小室
取り外し可能なカバー１０４は、図４ａないし５を参照して、さらに理解されるであろう。ごみ貯蔵容器のカバー１０４内には、ごみ貯蔵カセットを受け入れるように構成されているごみカセットを受け入れる小室１３２が備えられている。ごみカセットを受け入れる小室１３２は、円筒状の内壁１３４と円筒状の外壁１３８との間に設けられている環状のスペースを有し、それぞれの壁はカバー１０４の下部面より下に延在している。ごみカセットを受け入れる小室１３２の内壁１３４は、内部に通路または喉部を備え、そこを通って、ごみは、以下でより詳細に説明されているように、ごみ貯蔵容器１０２に入る。
【００２３】
好ましくは、カバー１０４は、半球形にふくらみ、十分な深さを持つ壁を有するので、ごみカセットを受け入れる小室１３２は、カバー１０４内のスペースに少なくとも部分的に位置し、カバー１０４の壁より著しく下には延在しない。このことによって、カバー１０４がごみ貯蔵容器１０２に取り付けられるとき、ごみカセットを受け入れる小室１３２およびごみカセット１７２は、ごみ貯蔵容器１０２の中で無駄にスペースを占めない。それゆえ、できる限り多くの量のごみパッケージが、ごみ貯蔵容器１０２に効果的に貯蔵されうる。
【００２４】
カバー１０４の上部表面上、ごみカセットを受け入れる小室１３２の外壁１３８の半径方向外方には、第１および第２の把持部１０５がある。把持部は、カバー１０４の上部表面内の好ましくは湾曲したくぼみから成り、蓋１０６とカバーとの間にある蝶番のある付属品のどちらか一方の側面に位置している。使用の際、以下でさらに説明されているように、使用者は、ごみカセットを受け入れる小室１３２にあるカセットを回転させている間、一方の手で１つまたはもう１つの把持部１０５をつかむことができる。把持部１０５は、使用者の手に人間工学的にフィットするように、さらに使用者が機器１００を手動で操作している間、ごみ貯蔵機器１００をしっかりと安定させることができるように設計されているのが好ましい。
【００２５】
一実施形態によると、ごみカセットを受け入れる小室１３２の内壁１３４および外壁１３８は、単一のピースとして成形され、小室は、全体的にＵ型の断面を持つ。代替として、図４ｂおよび５に最も示されているように、ごみカセット小室１３２の外壁１３８のみ一体的に形成され、カバー１０４の底面から下方へ依存し（ｄｅｐｅｎｄ）、その基底に環状フランジを有するのが好ましく、フランジ１４０は、実質上垂直に、外壁１３８の内方に延在している。独立クラウン（ｓｅｐａｒａｔｅ ｃｒｏｗｎ）１４２は、外壁１３８内部に挿入可能であり、クラウン１４２は、ごみカセットを受け入れる小室１３２の内壁１３４を画定し、フランジ１４０の最も奥の円周と実質上等しい円周を有する。
【００２６】
図５に示されているように、クラウン１４２は、内壁１３４を形成する円筒状の壁１６０ａおよびそこから外方へ延在している基底の環状フランジ１６０ｂを含む。クラウン１４２は、例えばカバー１０４にある対応するスロット内に挿入可能な円筒状の壁１６０ａの外表面上のクリップまたは隆起のような、いずれかの適切な協働する係合手段を用いて、外壁１３８または基底の外壁１３８にある環状フランジに、スナップされうるかあるいは取り付けられうる。以下でさらに後述されているように、クラウンは、その上端部に把持装置を含むのもまた好ましい。
【００２７】
フックおよびカッター
図４ａおよび５にも示されているように、ごみカセットを受け入れる小室１３２は、例えばクラウン１４２のフランジ１６０ｂの底面上などに備えられているフック１４４およびカッター１４６を含む。フック１４４は、実質上Ｃ型であり、フランジ１６０ｂから下方へ延在し、フランジ１６０ｂの方向に上方へ戻って湾曲しており、フランジ１６０ｂとフック１４４の先端１４７との間には小さな隙間が設けられているのが好ましい。以下における操作の説明からさらに理解されるように、ごみカセットがごみカセットを受け入れる小室１３２に設置されているとき、使用者は、カセットの上部から、実質上円筒状の袋織り全体を引き出し、袋織りをその上縁近くで結び目として結ぶ。この結び目のついた袋織りは、おむつまたは他のごみが置かれるごみパッケージのベースとなる。以下で説明されているように、ごみが袋織りに置かれた後は、袋織りをねじることによってごみパッケージの上部が形成される。その後、このねじりは後続のごみパッケージのベースとなる。
【００２８】
随意に、ごみがごみパッケージに置かれる前は、使用者は結び目のついたベースを下方へ、開いた把持装置を通して、そして少なくとも部分的に下にあるごみの通路へと押す。このことによって、ごみをカバーし、ごみ上方にある袋織りを効果的に密閉することができる、十分な袋織りが利用可能となる。
【００２９】
１つ以上の個々に包まれたごみパッケージを適切な場所に含む袋織りの全体をつかむため、さらに、ねじれた形状の上述したいずれかの個々のごみパッケージ、特に袋織り全体内で形成された第１のごみパッケージ、がほどけるのを防ぐため、袋織り全体の上縁にある結び目は、ごみカセットを受け入れる小室１３２の底面にあるフック１４４内に挿入される。フック１４４は結び目を適切な場所に保持するので、ごみ貯蔵機器１００内のごみ貯蔵カセットを数回使用した後は、個々に包まれた一連のごみパッケージはフック１４４から延在し、ごみ貯蔵容器１０２内まで下がり、さらにごみ貯蔵カセットの方向へ戻され、袋織りはそこから延在する。
【００３０】
以下で説明されているように、カッター１４６は、柔軟な袋織りをごみ貯蔵カセットから切り離すために用いられる。カッターは、フランジ１６０ｂの底面から延在している先細の傾斜１４９および刃、または、実質上フランジ１６０ｂと共面であり、傾斜１４９によって下から保護されている他の切り離し手段を含むのが好ましい。傾斜１４９の先細部分は、材料を分離するために、柔軟な袋織りまたは他の材料を、保護された切り離し手段の方向へと向けるための指標として機能する。
【００３１】
使用の際、使用者が貯蔵されたごみパッケージを、ごみ貯蔵機器１００のごみ貯蔵容器１０２から取り除きたいとき、ごみパッケージを包む袋織りは、カセット１７２から延在している未使用の袋織りから切り離されなければならない。これを行うために、カバー１０４はごみ貯蔵容器１０２から取り除かれる。好適な実施形態によると、カバー１０４は、横にされ、ごみ貯蔵容器１０２の口部の安定した場所に置くことができるので、使用者は、同時にカバー１０４をつかむことなく、より容易に柔軟な袋織りを切り離すことができる。そのため、カセット上部と、一番最近に形成されたごみパッケージを包んでいる袋織りとの間にある袋織りは、スライスされるかあるいはカッター１４６を用いて切り離される。その後、使用者は、フック１４４から、一連のごみパッケージにある結び目の端を外した後、ごみパッケージを処分することができる。
【００３２】
ごみカセット回転装置
図２および６を参照して、ごみカセットを受け入れる小室１３２にはごみカセット回転装置１３６が備えられている。ごみカセット回転装置１３６は、実質上ごみカセットを受け入れる小室１３２の壁と同心円をなして延在する円筒状の壁１５０と、壁１５０に対して実質上垂直に延在し、ごみカセットを受け入れる小室１３２の内壁１３４の半径方向外方へ向かって終わっているリムまたは環状の基底１５２と、カバー１０４の上部表面に載るように壁１５０の上部から半径方向外方へ延在する環状リム１５４と、を有するのが好ましい。示されているように、環状リム１５４はその円周に、蓋１０６の下部面にある係合リブ１１３と協働する凹所１３５を含む。特に凹所１３５は、係合リブ１１３を収納するために配置されているので、使用の際、蓋１０６がカバー１０４に対して十分に閉じてロックするように、ごみカセット回転装置１３６は、係合リブ１１３が凹所１３５に挿入するように調整されなければならない。この調整によって、使用者は、次回ごみ貯蔵機器１００を使用する際に、ごみカセット回転装置１３６を作動する開始位置がわかる。
【００３３】
好適な実施形態によると、ごみカセット回転装置１３６はさらに、その環状リム１５４上に、ごみカセット回転装置１３６を、ごみカセットを受け入れる小室１３２の中心軸に対して回転させるために使用者によって作動されるハンドル１５６も含む。ごみカセット回転装置１３６は、図７ａおよび７ｂに示されているようにごみ貯蔵カセット１７２を支持および収納するため、および以下でより詳細に説明されているように、ごみカセットを受け入れる小室１３２に対する上記カセット１７２を回転させるために、配置されている。
【００３４】
さらにごみカセット回転装置１３６は、環状リム１５４の内周に沿って、２つの三日月形のくぼみ１３７も含む。好ましくは、くぼみ１３７は、ごみカセット回転装置１３６上で互いに正反対に配置されており、使用の際に、使用者が回転装置１３６に収納されているカセット１７２をそこから取り除くために手で把持するスペースを提供する。
【００３５】
把持装置
図２、５および６に示されているごみ貯蔵機器に備えられているのも把持装置である。図８ａないし１１ｄにより詳細に示されているように、把持装置は、クラウンじょうご１５５と、絞りリング１５８と、複数の把持バンド１６８を含む把持リング１５９と、を有する。クラウンじょうご１５５、絞りリング１５８および把持リング１５９はそれぞれ、実質上断面において円形である。
【００３６】
クラウンじょうご１５５の円周は、ごみカセットを受け入れる小室１３２の内壁１３４の内周と実質上等しい。クラウンじょうご１５５は、ごみ貯蔵機器内で使用される際、ごみカセットを受け入れる小室１３２の内壁１３４に支持されるかまたは随意に貼り付けられるように配置される。内壁１３４は、クラウンじょうごが載るレッジ、または代替として、内壁１３４の内表面上にある、クラウンじょうご１５５が挿入される環状の凹所、を含むのが好ましい。
【００３７】
クラウンじょうご１５５の上縁は、複数の湾曲したリップ１５７において、カットアウト１６１によって分けられて、終わっている。湾曲したリップ１５７は、柔軟な袋織りがその上を通過できるように、滑らかで低摩擦の表面を提供する。加えて、クラウンじょうご１５５は、その外表面上のある箇所において、下縁へ向かって、面取りされたエッジ１６３を有する突出部を含む。この面取りされたエッジ１６３は、以下でより詳細に説明されているように、絞りリング１５８上のドライブペグ（ａ  ｄｒｉｖｅ  ｐｅｇ）１６６と相互作用する。さらに、湾曲したリップ１５７は、把持装置が以下で説明されているように開いた状態にあるとき、バンド１６８が袋織りを裂いてしまうリスクを最小限にするために、柔軟な袋織りが把持リング１５９にある把持バンド１６８と接触するのを防ぐ。
【００３８】
把持リング１５９および把持バンド１６８は、図９ａないし９ｄにおいてより詳細に示されている。把持リングは、その内表面から内方へ延在している複数のＴ形突起１６５を持つ、途切れのない環を有する。Ｔ形突起１６５は、把持リング１５９の内周にたいして互いに均等のスペースを空けられているのが好ましい。個々の把持バンド１６８は、各Ｔ形突起１６５から延在している。以下でより詳細に説明されているようにバンド１６８が絞りリング１５８に接続するように、各把持バンド１６８の先端は、Ｔ形部分で終わっているのが好ましい。把持バンドはそれぞれ、以下で説明されているように、伸縮可能である。
【００３９】
図面からわかるように、把持バンドは、伸張されていないとき、必ずしも互いに同じ長さであるとは限らない。好適な実施形態によると、把持リング１５９は、２つの短い同サイズのバンドおよび、４つのより長い同サイズのバンドを含む。短いバンドは、以下で説明されているようにごみ貯蔵機器における把持装置の一部として使用される際、より長いバンドよりも大きく伸ばされるであろう。結果として、絞りリング１５８が、以下で説明されているように回転されるとき、ドライブペグ１６６をその回転された位置から開始位置まで戻すための回転力の大部分を提供するのは、短いバンドである。
【００４０】
図１０ａないし１０ｄは、互いに接続されているクラウンじょうご１５５および把持リング１５９を示す。図面に示されているように、把持リング１５９の環はクラウンじょうご１５５の外表面にフィットし、面取りされたエッジ１６３の内方および面取りされたエッジ１６３に対して隙間を提供し、さらに、Ｔ形突起１６５は、把持リング１５９から、クラウンじょうご１５５にあるカットアウト１６１を通って延在する。クラウンじょうごの湾曲したリップ１５７は、把持リング１５９の外方へ湾曲しており、１度把持リング１５９とクラウンじょうご１５５の２つが共に接続されると、把持リング１５９がクラウンじょうご１５５の外表面に対して動かないようにするために配置されている。クラウンじょうご１５５および把持リング１５９は、製造中は接続されているのが好ましく、把持リング１５９はクラウンじょうご１５５の上縁を越えて挿入されており、湾曲したリップ１５７はその後上縁に接続される。代替として、クラウンじょうご１５５および把持リング１５９は、公知のコー・モールディング（ｃｏ−ｍｏｕｌｄｉｎｇ）またはオーバー・モールディング（ｏｖｅｒ−ｍｏｕｌｄｉｎｇ）技術によって単一のピースとして製造されうる。
【００４１】
図１１ａないし１１ｄには、絞りリング１５８が示されている。絞りリング１５８は、クラウンじょうご１５５の外円と実質上等しい円周を持つ環状の開口部を備えるので、使用の際、（把持リング１５９を含んでいる）クラウンじょうご１５５は、少なくとも部分的に絞りリング１５８に挿入される。クラウンじょうご１５５および絞りリング１５８が共に挿入されるとき、以下で説明されているように、クラウンじょうご１５５および絞りリング１５８は、同軸上にあり、クラウンじょうご１５５に対する絞りリング１５８の自由な回転を可能にする。絞りリング１５８はその外縁に、ごみ貯蔵カセット１７２上のドライブ機構１８０およびクラウンじょうご１５５上の面取りされたエッジ１６３の両方と相互作用するドライブペグを含む。
【００４２】
さらに、絞りリング１５８はその下縁に沿って複数の実質上長方形のくぼみ１６７を含む。把持装置において使用するために、把持リング１５９から延在している複数の把持バンド１６８は、これらのくぼみ１６７を通して挿入される。バンド１６８の先端にあるＴ形部分は、把持バンドがくぼみの外に引き出されてしまわないようにするために障壁を提供するので、絞りリング１５８に対してしっかりした接続を提供する。図６およびさらに以下の説明からわかるように、把持バンド１６８が絞りリング１５８に挿入されているとき、把持バンド１６８は、絞りリング１５８によって備えられている環状の開口部の外の領域を実質上占めるように、かつその中心を横切って延在しないように、構成されている。この配置において、絞りリング１５８、従って絞り装置は、開いた状態または解放された状態にある。
【００４３】
例えば図２および６に示されているように、把持装置がクラウンじょうご１５５を完全に組み立てられているとき、把持リング１５９および絞りリング１５８は互いに接続され、把持リング１５９から延在する把持バンド１６８は、上述されているように、開いた状態で絞りリングにしっかりと固定されている。その時、把持装置はごみ貯蔵機器１００にあるごみカセットを受け入れる小室１３２に挿入され、上述されているように、ごみカセットを受け入れる小室１３２の内壁１３４とクラウンじょうご１５５との間の相互係合によってしっかりと固定されているのが好ましい。その後、以下でより詳細に説明されているように、ごみ貯蔵機器１００において用いられるために組み立てられる。
【００４４】
ごみ貯蔵カセット
図１２ａないし１２ｄは、ごみ貯蔵機器内で用いられるごみ貯蔵カセット１７２を示している。ごみ貯蔵カセット１７２は、環状の内壁１７４および外壁１７６を有するハウジングを持ち、それらの下端部において実質上全体的にＵ形の断面を形成する基底によって接続されている。カセット１７２の内壁１７４と外壁１７６との間のカセットハウジングにおいて、柔軟な袋織りが収納されている。カセットハウジング内のスペースを最大限に活用するためおよびカセット１７２内にできるだけ多くの袋織りを提供するために、柔軟な袋織りは、層にされているかまたはひだをつけられているのが好ましい。外壁１７６の上縁から半径方向内方に延在しているのは、フランジ１７８である。フランジ１７８は、カセットハウジングのために、好ましくは柔軟な袋織りに下向きの圧力をかけ、さらに、袋織りをできるだけ堅くハウジング内にパックするよう保つ、少なくとも部分的なカバーを備えている。フランジ１７８の外側リムと内壁１７４との間に形成されている少なくとも１つの周辺の溝１７７があり、この溝を通して、使用者は、以下でより詳細に説明されているように、柔軟な袋織りを内壁１７４から引き出すために、柔軟な袋織りに接触することができる。内壁１７４は、摩擦を最小限にするためにその上縁が丸い形状になっているので、柔軟な袋織りの平滑な動きが可能となる。
【００４５】
図１２ａおよび１２ｄから最もよくわかるように、好適な実施形態によると、フランジ１７８は、カセット１７２の外壁１７６から内壁１７４の方向に延在している、複数の内方への突起または花弁（ｐｅｔａｌｓ）１７９を有し、複数の溝１７７の間において、柔軟な袋織りがカセットハウジングの下から取り除かれる。フランジ１７８は、いずれかの適切な手段を用いて、外壁１７６に挟まれうる（ｃｌｉｐ）か、スナップ取り付けされうるかまたは係合されうる。フランジ１７８の外縁は、袋織りがそこを通過するときに裂いてしまうのを防ぐために丸みを帯びているのが好ましい。
【００４６】
図１２ｅに示されているように、フランジ１７８は、ごみ貯蔵カセット１７２の外壁１７６内に挟まれるかまたはスナップ取り付けされるのが好ましい。好適な実施形態によると、外壁１７６はその内表面に、内方に延在する１つ以上の突出部を含み、それを用いてフランジ１７８は相互係合する。さらに、花弁１７９の先端、従ってフランジ１７８の内縁は、フランジの外円に対して引き上げられているのが好ましい。
【００４７】
以下の説明から、ごみ貯蔵機器１００にあるごみ貯蔵カセット１７２を使用中、フランジ１７８の花弁１７９は、カセットハウジングからの柔軟な袋織りの適量（ｄｏｓａｇｅ）を向上させるということがわかるであろう。特に、それらは柔軟な袋織りに張力を加え、支持するので、比較的重いごみが、カセット１７２からすでに取り除かれている柔軟な袋から形成されている中空に設置されているとき、ごみは適切な場所に保持され、追加された袋織りが重さによって不必要にカセットハウジングから取り除かれることがない。このことは、カセットハウジングにほんの少量しか柔軟な袋織りが残っていないときに特に重要であり、このとき、単にフランジ１７８によるカバーおよび下向きの圧力があるため、袋織りはハウジング内にせき止められるほどしっかりとはパックされない。
【００４８】
花弁１７９はそれぞれ、延在して内壁１７４に到達している。花弁１７９を延在させ内壁１７４に到達させることによって、柔軟な袋織りがカセットハウジングから取り除かれるときフランジ１７８が柔軟な袋織りにかける抗力は増大する。さらに、より長い花弁１７９は、カセット１７２内の柔軟な袋織りの大部分をカバーするのに役立ち、取り除くことが必要とされる前にあふれるのを防ぐ。
【００４９】
代替の実施形態によると、全ての花弁１７９が内壁１７４に到達しているとは限らない。例えば、合計６つの花弁１７９を有するカセット１７２において、それぞれは短いアーク長である、わずかに３つほどの花弁１７９であれば、適切な使用者が、収納されている袋織りに接触できるのに十分であろう。それゆえ、残りの３つの花弁１７９はより長く、カセット１７２の内壁１７４に達しているかまたはほとんど達している。使用の際、形成されているごみパッケージが１つまたは２つの重いおむつのようなごみを含むとき、より長い花弁１７９は、ごみの重さが、過度の量の袋織りをそこから促してしまわないように、カセットハウジングの外へ延在している袋織りにかかる十分な抗力を提供するのに役立つ。それゆえ、ごみ貯蔵カセット１７２の製造中、花弁１７９の長さおよびサイズの選択によって、フランジ１７８が提供する抵抗力は調整される。
【００５０】
好適な実施形態において、ごみ貯蔵カセット１７２は、カセットの外壁１７６の外表面から半径方向外方へ突出している環状のレッジ１７３を含む。レッジ１７３は、外壁１７６の上縁の方向、しかし外壁１７６の内表面から半径方向内方に延在するフランジ１７８よりも下に位置しているのが好ましい。
【００５１】
ドライブ及び解放タブ
カセット１７２の内壁１７４の内表面上にはドライブタブ１８０が備えられている。ドライブタブ１８０は、ごみ貯蔵機器１００にある絞りリング１５８上のドライブペグ１６６と相互係合するために配置されているので、使用の際、ごみ貯蔵機器１００にあるごみカセットを受け入れる小室１３２内のカセット１７２の回転は、ドライブペグ１６６、従って絞りリング１５８全体を駆動し、回転するまたは部分的に回転する場所において回転させロックする。以下でより詳細に説明されているように、この回転は、把持装置を、開いたまたは解放された状態から、閉じたまたは把持している状態まで作動させる。
【００５２】
ドライブペグ１６６を、回転するまたは部分的に回転する場所から解放するために、カセットの内壁１７４の内表面上には解放タブ１８１も備えられている。ドライブペグ１６６のこの解放によって、把持装置は閉じたまたは把持している状態から開いたまたは解放された状態まで作動する。解放タブ１８１は、内壁１３４の内表面に沿ってドライブタブ１８０から離れて一定の間隔を空けられ、さらにドライブタブ１８０の少なくとも一部の垂直下向きに位置している。ドライブタブ１８０および解放タブ１８１はそれぞれ図１３および１４においてより詳細に示されており、それらの操作は以下でより詳細に説明されている。
【００５３】
ごみ貯蔵機器およびごみ貯蔵カセットの操作
もう一度図７を参照して、ごみ貯蔵機器１００にあるごみカセットを受け入れる小室１３２の中に、もとの位置にあるごみ貯蔵カセット１７２が見られる。カセット１７２は、ごみカセットを受け入れる小室１３２内に設置されており、カセット１７２は、その外表面上の棚（ledge）１７３によって、ごみカセット回転装置１３６のリムまたは環状の基底１５２からつり下がっているのが好ましい。代替として、カセット１７２はその基底を、ごみカセット回転装置１３６のリムまたは環状の基底１５２によって支持されうる。一度カセット１７２がごみカセットを受け入れる小室１３２に挿入されると、絞りバンド１５８のドライブペグ１６６は、カセット１７２上の対応するドライブタブ１８０と相互係合するので、カセット１７２の後続する回転は、ドライブペグ１６６および絞りリング１５８の回転を促す。
【００５４】
ごみ貯蔵機器１００の中のカセット１７２の使用を開始するために、使用者は、カセット１７２内に収納されている柔軟な袋織りに接触し、そこから袋織り全体を引き出し、上述されているように袋織りの端部に結び目を作る。その後、使用者は、結び目を、上述されているように、ごみ貯蔵機器１００のカバー１０４の下部面上のフック１４４に挿入する。結果として、ごみ貯蔵機器１００の喉部の中、カセット１７２の内壁１７４の半径方向内方に、密閉された袋織りの中空が形成される。
【００５５】
この時点で、ごみ貯蔵機器１００およびカセット１７２は、袋織りの中空内にごみを挿入する準備ができている。
【００５６】
ごみ貯蔵カセットの回転
使用者は、袋織りの中空にごみを置いた後、ごみカセット回転装置１３６上のハンドル１５６を作動させる。上述されているように、ごみカセット回転装置１３６は、ごみ貯蔵機器１００の蓋１０６とごみカセット回転装置の調整によって規定されている、回転のために予め備えられた開始位置を有している。ごみ貯蔵機器１００の内表面には一方向タブが備えられているのが好ましく、上記一方向タブは、ごみカセット回転装置１３６を相互作用し、時計回りか反時計回りかはタブの構造および／または操作によるが、一方向にのみ回転可能である。さらに、図６の例に示されているように、ごみカセット回転装置１３６の上部表面には、使用者にごみカセット回転装置１３６の回転方向を示すために、矢印記号が備えられている。
【００５７】
ごみカセット回転装置１３６の回転によって、その上に位置しているカセット１７２は回転する。好適な実施形態によると、ごみ貯蔵カセット１７２およびごみカセット回転装置１３６は、ごみ貯蔵カセット１７２をごみカセット回転装置１３６と同時に回転させるために、ラグおよび凹所装置のような協働する相互係合手段を含む。相互係合手段は、レッジ１７３の下部面上のような、カセット１７２の外表面底部に備えられているのが好ましい。代替として、相互係合手段は、カセット１７２の内壁１３４の外表面に備えられうる。さらに代替として、ごみ貯蔵カセット１７２は、事実上ごみカセット回転装置１３６によって支持および／または収納されているため、ごみカセット回転装置と共に回転することができる。
【００５８】
上述されているように、ごみ貯蔵カセット上のドライブタブ１８０と、把持装置上のドライブペグ１６６との間の相互係合のため、カセット１７２がごみカセットを受け入れる小室１３２において回転するとき、ドライブペグ１６６および絞りリング１５８は回転する。それゆえ、このことによって、使用の際、ごみカセット回転装置１３６が回転するとき、絞りリング１５８は、クラウンじょうご１５５の円周の周りで少なくとも部分的に回転し、それ自体は静止し、ごみカセットを受け入れる小室１３２の内壁１３４に固定される。
【００５９】
把持装置の把持バンド１６８はそれぞれ、その近心端において、使用中静止しているクラウンじょうご１５５内に固定されている絞りリング１５９から延在し、その間、その遠心端において、各バンド１６８は回転可能な絞りリング１５８に接続している。結果として、ごみカセットおよび絞りリング１５８がごみカセット回転装置１３６によって回転されると、各把持バンド１６８の一方の端部は回転され、その間、もう一方の端部は動かない。その結果として、バンド１６８は、絞りリング１５８によって備えられている開口部の中心に対して、伸張され、ねじられる。好適な実施形態によると、おおよそ６０度（または全回転の６分の１）の回転の後、バンド１６８は、開口部の中心に絞りを形成するためにねじれ、それによって把持装置を閉じた状態にする。図１５ａおよび１５ｂは、把持装置の回転する前の開いた状態と、いくらか回転した後のおおよそ完全に閉じた状態とをそれぞれ示す。
【００６０】
ごみがごみ貯蔵カセット１７２からの結び目のついた柔軟な袋織りにおかれるとき、ごみ上方の柔軟な袋織りは、上方へクラウンじょうご１５５を越えて延在し続け、カセットハウジングの方向へ戻る。それゆえ、絞りリング１５８が、上述されているように閉じた状態を形成するために回転されるとき、バンド１６８のねじれた絞りは、その中心においてごみ上方に置かれている柔軟な袋織り上に徐々に近づく。それゆえ、ねじれた把持バンド１６８は、柔軟な袋織りを把持および閉じるように作動し、さらに、そこに少なくとも部分的な絞りを作り出し、適切な場所で保持する。図１５ｂからわかるように、把持装置のバンド１６８は、完全に閉じた状態において、実際は完全な途切れのない閉鎖を形成しないのが好ましい。これは、閉じた状態にある把持装置の機能は、柔軟な袋織り部分を完全に密閉するためというよりも、ねじれるのを防ぐために柔軟な袋織り部分を把持して絞るためだからである。その代わりに、以下でさらに説明されるように、ごみよりも上の柔軟な袋織りにおいて密閉されたねじれを作り出すのは、絞られた袋織り部分よりも上の、後続の袋織りのねじれである。
【００６１】
ドライブペグの離脱
把持装置が閉じた状態に到達する回転における時点において、カセット１７２上のドライブタブ１８０は、把持装置上のドライブペグ１６６から離脱するように配置されている。この離脱方法は、図１０ａないし１１ｄを参照して理解されるであろう。それらに示されているように、ドライブペグ１６６は、アーム１６６ａを含み、このアーム１６６ａは、絞りリング１５８の外表面に沿って部分的に延在し、その先端は、傾斜面を持つ上部１６６ｂおよび下部１６６ｃを有する実質上台形のタブで終わっている。例えば図１０ｂにおいても示されているように、クラウンじょうご１５５の外表面上の面取りされたエッジ１６３は、実質上垂直でまっすぐな面１６３ｃになる、下方へ傾斜する面１６３ａを有する。ドライブペグ１６６と面取りされたエッジ１６３とが呼応する場所は、使用の際、２つが絞りリング１５８の開始位置において接触しない形にあるが、絞り装置が開いた状態にあるとき、絞りリング１５８の部分的な回転の後に接触する。
【００６２】
好適な実施形態によると、絞りリングが開始位置からおおよそ６０度回転されているとき（把持装置がその閉じた状態に到達するまで）、ドライブペグ１６６の上部の傾斜した面１６６ｂは、クラウンじょうご１５５上の面取りされたエッジ１６３にある、下方へ傾斜する面１６３ａと接触する。ドライブペグは、その上部の傾斜した面１６６ｂが面取りされたエッジ１６３の下方へ傾斜する面１６３ａをちょうど通過するまで、カセット１７２と共に回転し続ける。しかしながら、ドライブペグ１６６、従って絞りリング１５７は、面取りされたエッジ１６３との接触の結果、下向きに押され、ドライブペグ１６６は、ごみ貯蔵カセット１７２の内表面上のドライブタブ１８０から離脱する。この、ドライブペグ１６６がドライブタブ１８０から離脱することは、ドライブペグ１６６が、面取りされたエッジ１６３の下方へ傾斜する面１６３ｂを通過するのと同時であり、回転の最初の段階まで再び上方へ動くのが可能である。この時点で、ドライブペグ１６６はカセット１７２上のドライブタブ１８０ともはや係合していないため、伸張した把持バンド１６８に蓄えられている弾性ポテンシャルは、ドライブペグ１６６の回転を逆にするよう促し、その開始位置まで戻す傾向がある。しかしながら、ドライブペグ１６６は、面取りされたエッジ１６３の実質上垂直でまっすぐな面１６３ｃによってその回転経路をふさがれているため、そうなるのを防がれる。ゆえに、ドライブペグ１６６は現時点で、閉じた状態にある把持装置の適切な場所でロックされており、絞りリング１５８は、ごみ貯蔵カセット１７２との回転可能な係合の外にある。
【００６３】
ごみ貯蔵カセットのさらなる回転
ドライブタブ１８０およびドライブペグ１６６の離脱後、絞りリング１５８およびねじれた把持バンド１６８を含むカセット１７２は、把持装置全体を通して回転を続けることができ、静止している。結果として、カセットの外に延在する柔軟な袋織りは、把持装置によって引き起こされる絞りポイントに下がって、しぼられた袋織りおよび（そこに置かれているごみ貯蔵機器を包む）それより下にある袋織りに対して回転される。このことは、ごみ上方にある柔軟な袋織りに形成されるねじれを作り出し、ゆえに、密閉されたごみパッケージを形成する。
【００６４】
好適な実施形態によると、ごみカセットおよびごみ貯蔵機器１００は、ごみカセット回転装置１３６による、開始位置からのごみ貯蔵カセット１７２の一度のみの回転で、密閉されたごみパッケージを完成させるためにごみ上方の袋織りを把持し、さらに袋織りにねじれを形成するように配置されている。さらに、一度の回転が完了するとき使用者に触覚のフィードバックを与える手段、および／またはカセット１７２が、ごみカセットを受け入れる小室１３２に対して一度の全回転を超えてねじれるのを物理的に防ぐ手段、が備えられているのが好ましい。例えば、上述されているように、一方向タブは、ごみ貯蔵機器１００の内表面に備えられているのが好ましく、上記一方向タブは、ごみカセット回転装置が一方向タブを通過するときカチッという音または他の音をたて、完全な回転がなされたことを示す。
【００６５】
続けて使用する場合のごみ貯蔵装置およびごみ貯蔵カセットの準備
上述されているように、密閉されたごみパッケージが一度形成されると、使用者は機器１００を次回使用したいときまで、ごみ貯蔵機器１００の蓋１０６を元の所に置くことができる。しかしながら、蓋１０６の下部表面から延在するピストン１０８は、把持装置を通り抜けて突出し、さらに、少なくとも部分的に、ごみカセットを受け入れる小室１３２の内壁１３４によって形成されている喉部内に突出することが必要であるので、把持装置が閉じた状態にあるとき、蓋１０６をうまく閉じることができないということがわかるであろう。このような場合には、密閉されたごみパッケージが形成された後、把持装置を外すための手段が備えられている。
【００６６】
好適な実施形態によると、ごみカセットを受け入れる小室１３２内のカセット１７２の一度の回転が完了した後、または上記完了の前に、カセットの外表面上の解放タブ１８１が、このときクラウンじょうご１５５上の面取りされたエッジ１６３によって適切な場所にロックされている絞りリング１５８上のドライブペグ１６６と接触するように、ごみカセット１７２およびごみ貯蔵機器１００は配置されている。解放タブ１８１は、クラウンじょうご１５５の面取りされたエッジ１６３からドライブペグ１６６を外すように作動し、ドライブペグ１６６を以前の回転軌道に解放して戻す。ドライブペグ１６６は、ねじれた状態にある把持バンド１６８に接続されているので、ドライブペグが解放されると、弾性バンド１６８の弾性ポテンシャルは、回転力を提供し、さらにドライブペグを回転させ、その開始位置に戻す。このことによって、把持装置が開いた状態で、絞りリング１５８および把持バンド１６８の両方は最初の位置に戻る。
【００６７】
上述されているように、把持装置が一度再び開けられると、把持装置と、ごみカセットを受け入れる小室１３２の内壁１３４と、によって設けられている開口部および喉部を通り抜けて突出することができる。さらに、このことによって、次に使用する際に蓋１０６が再び開けられるとき、把持装置は、ごみが把持装置を通して挿入されるように、正確な状態に置かれる。
【００６８】
ピストンの操作
蓋１０６が閉じられるとき、ピストン１０８は、ごみ貯蔵機器１００およびカセット１７２を次回使用するときのために準備するように配置されている。つまり、ピストン１０８は、開いた把持装置と、ごみカセットを受け入れる小室１３２の内壁１３４とによって設けられている喉部にある開口部を突き抜けることによって、以前に形成されたごみパッケージを、喉部を通してごみ貯蔵容器１０２の方向へ下向きに押す。同時に、このことによって、追加の柔軟な袋織りは、定量方式においてごみカセット１７２から取り除かれる。結果として、ピストン１０８は、以前に形成されたごみパッケージよりも上の柔軟な袋織りに中空を作り出し、中空のベースは、以前に密閉されたごみよりも上のねじれた袋織りによって形成されている。次に使用者がごみ貯蔵機器１００の蓋１０６を開けるとき、ごみは、ピストン１０８が作り出した中空に直接置かれる。それゆえ、使用者は、蓋１０６が一度再び開けられると、次のごみを貯蔵するためのカセット１７２を準備するための付加的な手段を講じる必要がなく、以前に形成されたパッケージを、ごみ貯蔵容器１０２の中に手動で押し下げる必要もない。
【００６９】
ピストン１０８は、いずれの追加の柔軟な袋織りを無駄に用いることなく、使用済みおむつを含むごみを受け入れ、おむつよりも上にねじれた密閉を形成するのに適切で十分な大きさを持つ袋織りの未使用部分を確保するように配置されている。このことによって、できる限り多くの量のごみパッケージを、一つのごみカセット１７２内に貯蔵されている柔軟な袋織りから形成することが可能となり、より費用効果があり、環境にやさしいカセットを作ることができる。
【００７０】
ごみ貯蔵機器を空にする
ごみ貯蔵カセット１７２は、カバー１０４より下に接続されているごみ貯蔵容器１０２内に貯蔵されている、複数の連続するごみパッケージを形成するために用いられうる。ごみ貯蔵容器１０２からのごみパッケージを空にするために、カバー１０４とごみ貯蔵容器１０２との間の相互係合手段は解放され、カバー１０４はごみ貯蔵容器１０２よりも上に引き上げられる。カバー１０４内のカセット１７２がそれでもいくつかの柔軟な袋織りを収納している場合は、カセット１７２から延在している未使用の柔軟な袋織りは、ごみパッケージが形成される柔軟な袋織りと連続している。上述されているように、未使用の柔軟な袋織りを、以前に形成されたごみパッケージとの接続から解放するために、使用者は、カバー１０４の底面に備えられているフック１４４およびカッター１４６を用いて、一番最近形成されたごみパッケージよりも上にある柔軟な袋織りを切り取る。カバーにある構成部品は、使用者が容易にカバーを持ち上げることができるように、必要であれば、一方の手でごみパッケージよりも上にある袋織りを保持してカットしている間、一方の手でカバーを保持することができるように、軽量の材料から作られているのが好ましい。
【００７１】
ごみ貯蔵容器
図１６に示されているように、ごみ貯蔵容器１０２は、開放型の処分機器である。ごみ貯蔵容器１０２の形状および特長は、ごみ貯蔵機器１００のカバー１０４とフィットし、防水設計されている。随意に、ごみ貯蔵容器１０２は、袋織りが容器から切り離される間、カバー１０４が横にされ、容器１０２の口部１０３にしっかりと保持されるようにさらに設計されている。
【００７２】
ごみ貯蔵容器１０２は、２つのハンドル１８６を有し、１つはごみ貯蔵容器１０２の上端部近くのどちらか一方の側面にあるのが好ましい。ハンドル１８６は、ごみ貯蔵容器１０２の外表面にある各チャネル１８８の上部に形成されている凹所であり、少なくとも部分的に容器１０２の各側面の区間の下へ延在しているのが好ましい。随意に、カバー１０４は、ごみ貯蔵容器１０２の表面上部を越えて下方へ延在する。このような実施形態において、使用者がハンドル１８６に接触できるようにカバーの側面には穴がある。ハンドル１８６は、使用者が、持ち運びの際にごみ貯蔵容器１０２を容易に把持できるように配置されている。凹所があると、持ち運ぶ間、使用者の手がごみ貯蔵容器１０２内のごみパッケージに接触することがないので、凹所から成るハンドルは、容器１０２の表面にある穴から成るハンドルよりも好ましいということがわかるであろう。
【００７３】
製造
ごみ貯蔵機器１００の様々な構成部品は、軽量のプラスチックまたはいずれの他の適切な材料で形成されているのが好ましく、適切な方法で成形かあるいは形成されうる。機器の表面は、きれいに拭かれている（ｗｉｐｅ−ｃｌｅａｎ）のが好ましい。把持装置にある把持バンドは、適切に変形する特徴を示す弾性またはいずれか他の適切な材料から形成されているのが好ましい。
【００７４】
利点
説明されているごみ貯蔵機器の実施形態は、使用済みおむつおよび他のごみを処分するための、衛生的で、簡単に使え、費用効果がある手段を提供する。
【００７５】
ピストンは、中に置かれるごみのための柔軟な袋織りの中空を作り出すことによって、ごみ貯蔵機器およびカセットを繰り返し使用するための準備をする手段を提供する。このことによって、使用者は時間と手間を省くことができ、無駄に追加の柔軟な袋織りを使用することもない。
【００７６】
ごみが、ごみパッケージ上方に形成されている柔軟な袋織りの中空内に一度置かれると、使用者はごみに接触する必要がないため、機器の操作は衛生的である。つまり、使用者は、ごみをごみ貯蔵容器に向けるために、ごみまたはごみパッケージをごみの通路に押し込む必要がない。その代わりに、各ごみパッケージは、ピストンによってごみの通路に向けられ、機器の蓋が使用後に戻されると、ごみパッケージよりも上に新しく作られたねじれを押し込む。使用者は、ごみパッケージを手でねじったり密閉したりする必要もない。その代わりに、ごみカセット回転装置にあるハンドルの単純な操作によって、ごみパッケージは適切な場所に形成、密閉、および把持される。さらに、ごみ貯蔵機器のカバー底面上に備えられているフックによってごみパッケージは適切な場所に保持され、ごみ貯蔵機器によってそこに一度ねじれが形成されるとごみパッケージがほどけないようにする。
【００７７】
把持装置は、密閉されたごみパッケージがごみに対して形成されるのを可能にするために袋織りを適切な場所に保持する、容易に作動でき、確かな手段を提供する。さらに、ごみ貯蔵機器のカバー上のリブまたは他の適切な突起を含むことによって、次に使用するときのために、把持装置を開いた状態に戻す確かな手段が備えられている。突起は、ごみカセット回転装置を蓋に合わせて調整する機能を果たすので、回転装置、従ってごみ貯蔵カセットは、それぞれの使用のために正確な開始位置に置かれる。加えて、一方向タブがあることによって、カセットはそれぞれの操作の間一度だけ回転されるので、機器の操作に必要とされる時間および使用者の労力は最小限となる。
【００７８】
ごみ貯蔵カセットの実施形態は、少なくとも１つの突起を有するフランジを含むので、重いおむつまたは他のごみがごみ貯蔵機器に置かれたとき、カセットに貯蔵されている柔軟な袋織りに圧力をかけることによって、必要以上の袋織りがカセットから出てくるのを防ぐのを助ける。このことは特に、ごみ機器が空であるか空に近い状態にあるときおよびカセットの内部にほんの少量のフィルムしかないときに重要であり、そうでなければ、両方の状態において過剰な量の柔軟な袋織りが取り除かれてしまう。
【００７９】
フランジをカセットの壁にスナップ取り付けすることによって、フランジがカセット上に溶接されているという点で公知の機器を超えた改良が提供されている。特に、スナップ取り付けは、質の悪い溶接によってもたらされた不良品を排除し、柔軟な袋織りのせき止めを防ぐ。
【００８０】
フランジは、ごみ貯蔵カセットに取り付けられおよび／またはごみ貯蔵カセットから延在しているので、さらなる利点が提供される。特に、実験的な試験は、ごみ貯蔵カセットに貯蔵されている、ひだをつけられている柔軟な袋織りは自然と層になり、中心部から分けられるということを示している。それゆえ、フランジとカセットとの間の溝がカセットの中心部の方向にあるので、カセットから出る袋織りの流れはより滑らかでより容易である。さらに、取り除いている間、圧力によって花弁は袋織りから離れるので、袋織りが取り除かれる際、フランジの花弁が袋織りを傷つける機会が減少する。このことによって、以前にはフランジによってせき止められている袋織りによってもたらされたであろう不良品の可能性も減少する。さらに、袋織りはフランジの花弁を越えて流れる代わりにごみカセットの丸みを帯びた内壁を移動するので、袋織りを裂いてしまうリスクが減少する。
【００８１】
代替の実施形態
蓋において押し下げ可能なピストン
図１７ないし２３には、代替のごみ貯蔵機器２１００が描かれている。図面からわかるように、蓋２１０６は、蓋２１０６の上部表面にある開口部２１１０を通って延在し、外壁２１２１を持つピストン２１０８を含む。図１７に示されているように、ピストン２１０８が、押し下げられた場所にロックされているとき、その上部表面２１１２は、蓋２１０６の上部表面と同一平面に位置する。ピストン２１０８は、解放されたまたは持ち上げられた位置において、上部表面２１１２が蓋２１０６の垂直上向きに位置するように、上方へ延在する。蓋２１０６およびピストン２１０８の上部表面は、半球形にふくらみ、くぼんだ場所において途切れていないのが好ましい。しかしながら、ピストン２１０８の上部表面が実質上平らであり、蓋の残りの部分がそこから下方へ湾曲して延在しているのも可能である。
【００８２】
ピストン２１０８および蓋２１０６は、くぼんだ場所においてピストンをロックするために、協働する構成物（ｆｏｒｍａｔｉｏｎｓ）を含む。図１７および２０に示されている実施形態において、３つの隆起または突起２１１４は、蓋２１０６にある開口部２１１０の上端部から内方へ延在しており、そこを通ってピストン２１０８は延在する。隆起２１１４は、開口部２１１０の円周に対して互いに等距離で一定の間隔を空けられているのが好ましい。ピストン２１０８の外壁２１２１は、上部表面２１１２からピストン２１０８の基底まで少なくとも途中まで軸方向に延在している３つの溝２１１６を含み、各溝２１１６は、差込み取り付け（ｂａｙｏｎｅｔ  ｆｉｔｔｉｎｇ）を形成する蓋の開口部１１０にある対応する隆起２１１４と協働する。図１７に示されているように、ピストン２１０８は、隆起２１１４がピストン２１０８の上方への動きを防いでいる第１のロックされた状態から、溝２１１６がピストン２１０８の上方への動きを可能にする第２のアンロックされた状態まで回転可能であるので、蓋２１０６の上部表面よりも上に上がることができる。
【００８３】
ピストン２１０８と蓋２１０６との間の相互作用は、図１８ないし２３においてより詳細に示されている。図１８に示されているように、ピストン２１０８は実質上円筒状であり、外壁２１２１は、上部表面２１１２および下部表面２１２０に隣接している。ピストン２１０８の直径は、ピストン２１０８がごみ貯蔵機器２１００の蓋２１０６にある開口部２１１０内にぴったりとフィットするように設計されている。３つの溝２１１６は、ピストン２１０８の上部表面２１１２の外周の周りにおいてそれぞれ途中まで延在している上部分２１１６ａを有し、この上部分２１１６は、蓋２１０６からの協働する隆起２１１４にちょうど適応するのに十分な深さを持つ。溝は、上部分２１１６ａよりも幅の狭い垂直部分またはチャネル２１２２をさらに含み、さらに軸方向下に下部表面２１２０に向かって外壁２２１の途中まで延在し、垂直チャネル２１２２と上部分２１１６ａとが接触する肩部２１１６ｂを持つ逆Ｌ形を通常備える。蓋１０６の隆起２１１４が、肩部２１１６ｂによってピストンにある各溝２１１６の上部分２１１６ａ内に適応されているとき、ピストン２１０８は、垂直上向きに動かないようにされている。しかしながら、各々のチャネル２１２２は、蓋２１０６からのそれぞれの隆起２１１４を適応するのに十分な幅であり、隆起２１１４よりも垂直に深い。結果として、蓋２１０６の隆起２１１４が肩部２１１６ｂを逃れ、さらにそれぞれの溝２１１６の第２の場所に適応されるように使用者がピストン２１０８を回転させると、ピストン２１０８は垂直上向きに動くことができる。ピストン２１０８が蓋２１０６にある開口部２１１０よりも上に垂直上向きに動くことができる範囲は、ピストン２１０８の外壁２１２１にあるチャネル２１１２の垂直深さに依存するということがわかるであろう。
【００８４】
図１８および１９に示されているように、蓋２１０６の隆起２１１４と適応するチャネル２１１２に加えて、ピストン２１０８の外壁２１２１は、付加的なガイド溝２１２４を含み、この付加的なガイド溝２１２４は、蓋２１０６にある協働するガイド突起（図示されていない）と共に、蓋２１０６にある開口部２１１０に対するピストン２１０８の垂直な動きを支持および誘導する。
【００８５】
ロックされた場所からアンロックされた場所までピストン２１０８を手動で回転させるために、ピストン２１０８の上部表面には複数のくぼみ２１１８が備えられている。これらのくぼみ２１１８は、ピストン２１０８の上部表面２１１２の真ん中に配置されており、互いにおおよそ１２０度離されている、３つの実質上楕円形のくぼみを有しているのが好ましい。くぼみ２１１８は、使用者が容易にピストン２１０８を回転させることができるように、使用者の手の親指、人差し指、中指に適応するように配置されているのが好ましい。
【００８６】
図２０および２１は、上から見た蓋２１０６の、ロックされた状態にあるピストン２１０８を示す。図２１に最も明確に示されているように、蓋２１０６から突出している隆起２１１４は、ピストン２１０８を蓋２１０６からアンロックするために、使用者が特定の方向にピストン２１０８を回転するように示す矢印を随意に含む。
【００８７】
図２２には、ピストン２１０８および蓋２１０６の底面が示されている。ピストン２１０８の垂直な動きを補助するために、伸縮性のある支持ウェブ２１２６が蓋２１０６の底面に貼り付けられている。伸縮性のある支持ウェブは、各々の先端において、蓋の開口部２１１０の近くにあるカバー２１０４の先端に貼り付けられており、各々の近心端において、実質上蓋の開口部２１１０の中心部と同軸の先端で共に接合している、３つの伸縮性のあるアーム２１２８を含むのが好ましい。伸縮性のあるアーム２１２８は、断面が“Ｙ”形を形成するように、互いにおおよそ１２０度離されているのが好ましい。伸縮性のある支持ウェブ２１２６は、ピストン２１０８が押し下げられ蓋２１０６にロックされたときにピストン２１０８が伸縮性のある支持ウェブ２１２６を下方へ伸ばすように、ピストン２１０８の下に延在するように設計されている。ピストン２１０８がアンロックされ、垂直方向に動くことができるとき、伸びた伸縮性のある支持ウェブ２１２６は、ピストン２１０８の下部表面に力を及ぼし、垂直上向きに動くように促進する。当然のことながら、いずれか他の弾性のバイアス手段または促進手段が備えられうる。
【００８８】
図２３に示されているような可能性のある実施形態によると、蓋２１０６は、蓋の開口部２１１０の底面から下方へ延在している円筒状フランジ２１３０を含む。随意に伸縮性のある支持ウェブ２１２６は、円筒状フランジ２１３０の下縁から延在する。円筒状フランジ２１３０は、ピストン２１０８の垂直な動きを誘導および支持するために、ピストン２１０８の外壁２１２１にある対応する凹所と協働するデテントを含む。随意に、蓋２１０６の上部面の垂直上向きの動きに加えて、ピストン２１０８の上部面２１１２は、ピストン２１０８がごみ貯蔵機器２１００のカバー２１０４に設けられているごみカセットを受け入れる小室２１３２内にさらに延在するために、垂直下向きに動くことができる。
【００８９】
蓋を閉じることおよびロックすること
上述した代替の実施形態によると、蓋２１０６およびピストン２１０８は、ピストン２１０８を蓋２１０６の上部表面と同一平面の上部表面２１１２がある適切な位置にロックするために、ピストン２１０８が差込み取り付けにおいて押し下げられ、回転される前に、蓋２１０６が完全に閉じられるように配置されているのが好ましい。しかしながら、使用者は、すでに適切な位置にロックされているピストン２１０８と共に蓋２１０６を閉じることが可能であろう。このような配置において、蓋２１０６は、ピストン２１０８がごみ貯蔵機器２１００にあるごみカセットを受け入れる小室２１３２内に延在し始める前に把持装置を開けるために、突出部２１８４がその底面においてカセット２１７２と相互作用するように配置されていなければならない。どちらの場合においても、ピストン２１０８が蓋２１０６内にロックされ、蓋が閉じられているとき、ピストン２１０８はごみカセットを受け入れる小室２１３２内へと下方へ延在する。
【００９０】
ピストン２１０８は、ごみ貯蔵機器２１００が使用中でないときに、蓋２１０６を適切な位置にしっかりと固定するのを助けるように配置されているのが好ましい。ピストン２１０８がごみカセットを受け入れる小室２１３２にあるごみの通路内に延在するとき、ごみカセットを受け入れる小室２１３２がピストン２１０８の収縮を制限するので、ピストン２１０８が通って延在している蓋２１０６が完全に開くことは不可能である。それゆえ、このことによって、ごみ貯蔵機器２１００は使用者がごみをそこに入れようとしたときのみ開けられる。結果として機器２１００の防臭性が高められる。さらに、ほとんどの時間、蓋２１０６は閉じられ、ピストンは押し下げられているので、機器２１００は最小限のスペースを占める。
【００９１】
上述された代替のごみ貯蔵機器２１００の好適な別形態によると、ピストン２１０８の操作によって、蓋２１０６をカバー２１０４にロックすることおよび蓋２１０６をカバー２１０４からアンロックすることは制御される。このような実施形態において、ラッチ部材が蓋２１０６の底面に取り付けられている。ラッチ部材は、ピストン２１０８と相互作用する第１のアームおよびカバー２１０４の内表面にある構成物と契合する第２のアームを有する。上述されているように、使用者がピストン２１０８を蓋２１０６の上部表面から解放するためにピストン２１０８をねじると、ピストン２１０８は上方へ促進される。ピストン２１０８が上方へ解放されるとき、ラッチ部材との係合を維持するための軌道を提供するために、ピストン２１０８の外表面にはチャネルまたは溝が備えられうる。ピストン２１０８が最上部に到達すると、ラッチ部材の第２のアームがカバー２１０４の構成物から外れるように配置されている。それゆえ、蓋２１０６は解放される。蓋２１０６は、ラッチ部材が一度カバー２１０４から外れると完全に開くようにバイアスを掛けられているか、または、代替として、非係合によって蓋２１０４は部分的に開き、その時点で使用者は、蓋を完全に開いた状態に手動で回転させることができる。
【００９２】
さらに他の、上述された代替の実施形態の好適な別形態によると、ごみ貯蔵機器２１００の蓋２１０６が閉じており、使用者がピストン２１０８を押し下げているとき、完全なプランジが成し遂げられると、ラッチ部材は使用者に触覚のフィードバックを提供する。このことによって、使用者は、ピストン２１０８を操作するときにそれを見る必要なしに、蓋２１０６の上部表面の適切な位置にピストン２１０８をロックするためにいつそれを回転させたらいいかわかる。
【００９３】
クラウン
図２４は、ごみ貯蔵機器にあるごみカセットを受け入れる小室の外壁へクラウンを挿入するための、代替のクラウンの実施形態を示す。この代替の実施形態によると、クラウン２１４２は、ごみカセットを受け入れる小室の内壁に隣接する円筒状の壁２１６０ａと、そこから外方へ延在している基底の環状フランジ２１６０ｂと、１２０度の間隔で、フランジ２１６０ｂから上方へ延在し、円筒状の壁２１６０ａに平行である通常長方形の３つのクリップ２１６０ｃと、上部リム２１６０ｄと、を含む。クラウン２１４２は、例えばクリップ２１６０ｃのようないずれかの適切な協働する係合手段を用いて、ごみカセットを受け入れる小室の外壁にスナップされうるかまたは取り付けられうる。
【００９４】
把持装置
図２５および２６は、把持装置の代替の実施形態を示す。代替の実施形態は、絞りリング２１５８から延在している複数のバンド２１６８を有する絞りリング２１５８およびクラウンじょうご２１５５を含む。クラウンじょうご２１５５の円周は、ごみ貯蔵機器にあるごみカセットを受け入れる小室の内壁２１７４の内周と実質上等しい。クラウンじょうご２１５５は、ごみ貯蔵機器にあるごみカセットを受け入れる小室の内壁の上部リムによって支持されるか、または随意に貼り付けられるように配置されている。クラウンじょうご２１５５の上縁は、外方へ湾曲したリップ２１７０において終わっている環状の壁を有する。以下でより詳細に説明されているように、把持装置をごみ貯蔵カセットと共に操作するのを補助するために、湾曲したリップ２１７０は、そこにいくつかの隙間を有する。使用の際、クラウンじょうご２１５５は、以下で説明されている絞りリング２１５８と共に押すかまたはスナップ取り付けする。
【００９５】
絞りリング２１５８は、下部リング２１６２および上部リング２１６４を有する外壁を含む。下部リング２１６２は、途切れのない環である。下部リング２１６２と同じ最大部直径を有する上部リング２１６４は、環（ａｎｎｕｌｕｓ）を有し、その円周の狭い部分に沿って隙間を持つ。絞りリング２１５８は、ドライブペグ２１６６をさらに有し、これは、回転するように配置されており、絞りリング２１５８の下部リング２１６２の回転を可能にする。使用の際、下部リング２１６２の部分的なまたは完全な回転のいずれかに従って、ドライブペグ２１６６は、その回転軌道の外に上方へ動かされるので、それ以上回転しない。
【００９６】
絞りリング２１５８内に収納されているのは、一連の相互接続されている弾性バンド２１６８である。図２５に示されている好適な実施形態によると、把持装置が開いた状態にあるとき、環状の構造で配置されている中央部弾性バンド（ａ  ｃｅｎｔｒａｌ  ｅｌａｓｔｉｃ  ｂａｎｄ）がある。複数の付加的な弾性バンドが備えられており、各々は絞りリング２１５８の下部リング２１６２の点と、中央部弾性バンドの円周上の点との間の傾斜角において延在している。ドライブペグ２１６６は、弾性バンド２１６８の状態を制御するように配置されており、ドライブペグ２１６６および下部リング２１６２が回転するとき、そこに接続している弾性バンドの端部は、静止している中央部弾性バンドに対して動く。上述した好適な実施形態と同様に、予め決められた、ドライブペグ２１６６の部分的な回転の後、弾性バンド２１６８はねじられて、絞りリング２１５８の中心に部分的に閉じられた把持構成物になる。
【００９７】
上述されている代替の把持装置は、図８ａないし１１ｄに示されている把持装置の好適な実施形態に関連している、上述されている同様の方法において、密閉されたごみパッケージを形成するために、ごみ貯蔵カセットと共にごみ貯蔵機器で用いられうる。特に、ごみ貯蔵カセット上のドライブタブと、代替の把持装置上のドライブペグ２１６６との間の相互係合のため、ドライブペグ２１６６は、カセットがごみ貯蔵機器にあるごみ貯蔵容器内で回転するときに回転する。この回転によって、絞りリング２１５８の弾性バンド２１６８は、ごみよりも上のごみカセットから延在している柔軟な袋織り内の絞りを閉じるまたは集めるために把持しながら、閉じられた状態または把持している状態に伸張する。ドライブペグ２１６６は、この時点でカセット上のドライブタブから取り外されるように配置されているので、好適な実施形態に関して詳細に上述されているように、カセットのさらなる回転は、絞りよりも上の柔軟な袋織り内にねじれを形成する。
【００９８】
ごみ貯蔵カセット
図２７には、代替のごみ貯蔵カセット３１７２の実施形態が示されている。このさらなる代替の実施形態によると、間に少数の内部突起３１７９および広い溝３１７７があるため、フランジ３１７８は断続しており、ここから、使用者はカセット３１７２に貯蔵されている柔軟な袋織りの端部に接触することができる。
【００９９】
図２８にはさらなる代替の実施形態が示されており、カセットは、ごみカセット回転装置上の協働するラグまたは突出部と相互係合するための凹所を含む。
【０１００】
さらに他の代替の実施形態において、ごみ貯蔵カセットは解放タブを含み、この解放タブは、閉じた、把持している状態からその点で把持装置を解放するために、ごみ貯蔵機器の蓋の内部表面上の相互係合リブと相互係合するように配置されている。この代替の実施形態によると、一度、ごみがごみ貯蔵機器に置かれ、そのごみに対してねじれたごみパッケージが形成されたら、カセット上の解放タブと、ごみカセット回転装置の上部表面上の凹所と、蓋の下部面上の相互係合リブと、の全ては、使用者がごみ貯蔵機器を操作した最後には互いに一直線上になければならない。これらの機構の配列の結果として、使用者が蓋１０６を閉じるためにこれを操作すると、相互係合リブは回転装置にある凹所を通って延在し、解放タブに接触する。この接触によって、例えば、好適な実施形態を参照して上述されているようなドライブペグをアンロックすることによって、解放タブは把持装置をその回転された位置から解放する。
【０１０１】
随意に、上述した代替のごみ貯蔵カセットの実施形態のいずれも、本明細書で説明されているごみ貯蔵カセットと把持装置との相互作用のためのドライブタブおよび／またはごみ貯蔵機器および／またはごみカセット回転装置にある対応するラグ、凹所または溝との相互作用のための溝、ラグまたは凹所を含む。
【０１０２】
ごみ容器
図２９には、代替のごみ貯蔵容器２１０２の実施形態が示されている。この代替の実施形態によると、ごみ貯蔵ごみ貯蔵容器２１０２を持ち運ぶ際に使用者が容易に把持できるように配置されており、ごみ貯蔵容器２１０２の外表面にある半球形にふくらんだ凹所から成るのが好ましい。実質上垂直なアームは、各半球形にふくらんだ凹所の上部表面から上方へ延在するのが好ましく、各々の上記アームは、タブ２１９０で終わっているか、またはごみ貯蔵機器のカバーにごみ貯蔵容器２１０２をスナップ取り付けするかあるいは係合させる他の適切な手段を備える。各半球形にふくらんだ凹所は、各アーム２１８８と共に単一のピースとして成形されるので、単一のピースは従来のごみ入れまたはバケツにある適切な寸法の穴に挿入することができる。
【０１０３】
さらなる代替案
把持装置の実施形態が、例えば弾性バンドのようなバンドを有すると説明されているとき、代替の絞りを形成することが可能であることがわかるであろう。例えば、紐または移動可能なシャッターによって取って代わられることができる。代替として、または付加的に、バンドは断続的に互いに接合されうる。随意に、バンドは、移動可能なロッドを含んでいる代替の装置によって取って代わられることができる。
【０１０４】
好適な実施形態によるピストンは、中空であるとして説明されている。しかしながら、ピストンは少なくとも部分的にふさがれている。随意に、ごみ貯蔵機器の防臭性を高めるために、ピストンの中空に脱臭手段を備えることができる。
【０１０５】
代替の実施形態において、ピストンはその上部表面にピストンの操作のためのくぼみを持つと説明されている。しかしながら、ピストンを蓋の表面からアンロックするためにピストンをねじる、ハンドルまたは取っ手のようないずれの適切な手段を備えることができるということがわかるであろう。同様に、ピストンは、説明されているような溝および隆起手段によっては適切な位置にロックされないが、代わりにいずれか他の適切な手段によって適切な位置に保持される。さらに、回転させることによってというよりも、規定された深さまで下方へ押し下げることによってピストンを解放し、それによってピストンを上向きに動かすことが可能である。
【０１０６】
ごみ貯蔵カセットから柔軟な袋織りを切り離すために、いずれの適切なカッター手段が備えられている。同様に、蓋はカバーに蝶番で取り付けられてはいないが、スナップ取り付けまたはいずれの適切な相互係合手段を用いてカバーに取り付けられている。
【０１０７】
おむつを貯蔵するごみ貯蔵機器の準備について議論してきたが、例えば衛生上のごみ、医療廃棄物、家庭のごみのような、いずれの適切なごみも、上述したように、貯蔵し包装することができるということがわかるであろう。同様に、機器は、例えば、家庭、職場、小売店、病院、介護環境のようないずれの環境においても使用することができる。
【参考実施例】
【０１０８】
本発明は、ごみパッケージ貯蔵機器に関する。公知のごみパッケージ貯蔵機器は、例えば、公開特許／出願のＧＢ２２０６０９２、ＧＢ２２２１４４５、ＷＯ０２／１００７２３、ＷＯ２００５／０４２３８１で説明されており、袋織りが引き出されるごみ貯蔵袋織りカセットが支持されている容器を含む。パッケージは、袋織りに挿入され、その後それぞれ個々のパッケージの上方でねじられ、パッケージおよび臭気が密閉される。
【０１０９】
本発明は、添付文書２において番号を付与されている節（ｃｌａｕｓｅｓ）で提示されている。本発明の様態によると、ハンズフリー操作が備えられているので、パッケージを手動で押すことまたは手先の器用さも必要とされない。片手の操作またはハンズフリーの操作を可能にする、単純化された、直観的操作もまた備えられている。パッケージが挿入されている間に臭気が漏れるリスクは、いくつかの実施形態に従って取り除かれる。
【０１１０】
本発明の実施形態は、本発明のいくつかの様態を示す図３０ないし６１を参照して説明される。
【０１１１】
概観において、貯蔵タブは、タブ上部に位置するカセットから分配されるフィルムによって覆われている。カセットは、例えば使用済みの使い捨ておむつのようなごみが中に置かれるように、中央が中空の円筒状である。その後おむつは、フィルムによって臭気の漏れを防いでいるチューブの中で密閉され、ユニットの基部に貯蔵される。一度基部がある程度のおむつを貯蔵すると、使用者は、基部を取り外し、空にすることによって容易に半永久的におむつを処分することができる。
【０１１２】
本発明は、おむつの周りのフィルムを密閉する方法を提供しているので、各おむつは、各々個々のパッケージ内に密閉されるか、またはいくつかのおむつは１つのより大きな容器内に密閉される。密閉する構造によって、おむつを貯蔵するコンパートメントと、外部との間の気密を維持するが、コンパートメントまたはより古いごみを貯蔵しているコンパートメントからの臭気が漏れることなく、連続したおむつを密閉するよう作動する。
【０１１３】
方法は、本明細書で説明されており、例えば、一般に本明細書に割り振られており、参照することにより本明細書に組み込まれているＷＯ２００５／０２４３８１で説明されている種類のうちの１つのような、あらゆる適切なごみパッケージ貯蔵機器を含んで実行されうる。一般にこのような機器は、容器を備える基部と、概して環状のごみ貯蔵袋織りカセットが据え付けられる回転可能な支持部を含む上部部分とを有する。袋織りは、カセットの上部からカセットの中心部を通って下へ引き出されて、基部で結び目を作られる。その後、パッケージは、カセットの中心部を通って、パドル付きのばね、弾性の膜などによる回転に対して把持されている場所へと押される。支持部はその後静止したパッケージの上方にねじれを作り出すように回転される。次のごみパッケージが挿入されると、そのごみパッケージは、その前のパッケージを把持部材の先の下方にある容器内に押して、それ自体はさらなるねじれが作り出されるように把持される。以下の様々な実施形態において、さらなる貯蔵スペースとして機能する容器のベース上方には、貯蔵スペースまたは副室が作り出されている。より詳細に説明されるように、追加のパッケージが機器に挿入されるとき、臭気の漏れが最小限にされるように、新しく作り出された貯蔵スペースはエアーロックまたは臭気固着として用いられる。
【０１１４】
関係する種々のステップの概要断面図を示す、図３０ないし３５および第１の実施例の斜視図である図３６を参照して理解されるであろう第１の実施例に目を向けて、要約すると、カセットがフィルムを、既存の設計に応じて深められうる中心部下へ分配する方法が提供されている。蓋を開けると、おむつは深い小室内に落し入れられ、一袋の中身（bag）は、カセットが回転するにつれて締付け器（constrictor）による緊縮（constriction）を作り出すことによって、おむつ上方で閉じられる。カセットのさらなる回転は、締付け器を解放し、その後ピストンは、パッケージを下に押して、次のおむつのために空の小室を作り出す。
【０１１５】
ＷＯ２００５０４２３８１と共に、図３０ないし３５を参照して、カセット（３１）は、使用者が操作するハンドル（３３）を有する回転インサート（３２）に位置している。カセットは、インサートの中の棚に位置しており、部分的に下へ垂れる(hangs part way down)。
【０１１６】
インサート（３２０、図３６）の下半分は、同じくタブ本体（３２１、図３６）の固定された部分にしっかりと固定されている開閉装置（３４）に取り付けられている。この装置は、インサートがわずかな回転の中で開閉装置を閉じるように働くので（図３２）、おむつ（３５）上方のフィルムを把持する。この装置は、インサートが回転を続ける間は閉じたままであり（図３３および３４）、インサートが一度の回転を完了させるちょうど前に、残りのわずかな回転の中で開く。
【０１１７】
方法は、底面から見た、それぞれ、締付けられていない状態、および締付けられた状態の斜視図である図３７および３８を参照して、さらに理解されるであろう。ごみ貯蔵袋織り３４２が通って突出しているごみ貯蔵カセットにおける支持部３４０の底面は、複数の突起３４４を含む。実施形態において、示された６つの突起は、組み込まれており、当然のことながら、あらゆる適切な数の突起が備えられうる。突起３４４はそれぞれ、そこに取り付けられている弾性バンド３４６のような、弾性のテンション装置を有する。各弾性バンドのもう一方の端部は、機器のハウジングまたは蓋の内部にある構成物３４８に取り付けられているか、またはごみ貯蔵カセットおよびごみ貯蔵カセット支持部の回転に関して固定されている。突起３４４および構成物３４４は、２つの六角形の形状で対称的に配置されている。
【０１１８】
弾性のバンド３４６が伸張していない、締付けられていない状態において、弾性バンドの反対側の端部は、支持部３４０の中心を通る垂直軸に対しておおよそ６０度の間隔を空けられている。それゆえ、弾性バンド４６は、図３７に示されているように、締付けられていない、緩和された状態において一般に六角形の形状を規定する。
【０１１９】
次に図３８を参照すると、カセット支持部３４０がその垂直軸に対してねじられるとき、支持部３４０の底面にある突起３４４は、弾性バンド３４６が通常カセット支持部３４０の直径を横切って延在するまで、弾性バンド３４６を伸張している対応する固定された端部３４８から離れて回転するということがわかるであろう。結果として、袋織り３４２はバンド間で集められて締付けられ、バンドは袋織りを挟みつぶすことによって、臭気の漏れを密閉する。さらに、パッケージは回転動作によってねじられる。カセット支持部が解放されると、弾性バンド３４６における伸張は、支持部が、緩和された、締付けられていない場所へ回転して戻るのを促すので、さらなるごみパッケージの挿入が可能である。
【０１２０】
ばねのようなあらゆる適切な弾性部材、または、開閉ダイヤグラムあるいはカセットのねじれ上の絞りあるいは支持部として機能するいずれか他の締付け装置を用いる、あらゆる適切な締付け器が採用されうる。
【０１２１】
インサートが回転している間、カセットはインサートと共に回転するので、インサートと共に１回の回転を完了させ、開閉装置によって保持されていた場所の上方のフィルム（３６）にねじれを付ける。
【０１２２】
一度回転が完了されると、新しく包まれたおむつは、下方にある貯蔵容器内に押される。これは手動によって、または、下へ滑り新しく形成されたねじれ（３６）を押し付けるピストン（３７）によって、成される。ピストンは、中心部の空洞（３８）と少なくとも同様の長さなので、空洞（３８）は空であり、次のおむつに対する準備ができている。
【０１２３】
インサートの回転は、手動または電動である。ピストンは手動または電動であり、随意に、インサートおよびカセットを回転させるよくある原動力に連結されている。
【０１２４】
カセットハウジングは随意に、完全な回転が完了したとき使用者に示すためのラチェット装置または他のデテントを有し、機器がさらなるパッケージを挿入する準備ができたことを示し、さらに／または一方向にのみ回転を可能にする。
【０１２５】
把持装置または締付け器は、あらゆる適切なタイプが可能である。例えば、機械的結合を有するというよりも、新しくもたらされたごみパッケージの上方にあるフィルムをぴんと張って、その後解放する、複数のゴムまたはばねの一定長さの物（length）を有することが可能である。カセットは、空洞および中心部の深さに従って上部または下部からフィルムを送出する。カセットまたはハウジングがピストンと一致するようにするために、カセットはその内壁において軸方向に溝を持ち、この溝は、カセットと係合し、カセットを下方へ誘導するために、ピストン上の突出部と係合する。
【０１２６】
第２の実施例によると、貯蔵スペースまたは副室は臭気防止装置として機能する。機器は蓋を有し、この蓋は、一度パッケージが挿入されると閉じることができ、一度ごみパッケージが機器の中に落し入れられると、上部の気密シールとして機能する。要約すると、蓋が一度閉じられると、ごみパッケージを、貯蔵スペースから下方にあるさらなる貯蔵スペース内に落し入れるように、ロータリーアクチュエーターを回転させることによって、ごみパッケージ下方のさらなる閉鎖を一時解放する。例えば、機器を回転させる蓋の一度の回転によって、回転が完了されると、下方にある閉鎖は閉じ、貯蔵容器内のごみパッケージを密閉する。この実施例において、臭気が漏れないようにするために、蓋には気密シールが備えられる。この方法は、図３０ないし３６に示されている実施例に非常に綿密に基礎が置かれているが、把持または開閉装置３４は、機器の蓋が閉じられた後に操作されうる外部の回転可能なあるいは開閉可能なアクチュエーターによって操作されるということがわかるであろう。代表的な方法において、カセットおよびごみ貯蔵袋織りが第１の実施例に関連して述べられているよう組み込まれるとすると、代替としてパッケージはエアーロックスペース内に直接落し入れられるということがわかるであろう。気密シールは、例えばまだ密閉されている間またはシールを付すことによって一時的に密閉されている間に回転装置を組み込ませるような、あらゆる適切な方法において与えられる。
【０１２７】
第３の実施例によると、貯蔵スペースは、アクチュエーターの作動によってごみ貯蔵袋織りにひねりを作り出すために、上部および下部に１組の閉鎖部材を有する。例えば、一方からもう一方へのレバーの形をとるアクチュエーターを押すかまたは引くというような単一の動作は、おむつの周りのフィルムの袋織りに対して２つの動作をもたらし、まず上部の閉鎖部材を密閉して、使用者からおむつを離してしまい込み、次に、下部の閉鎖部材を開けて、おむつが貯蔵容器のようなさらなる貯蔵スペース内に落し入れられるようにする。
【０１２８】
この仕組みは、３つの連続的な状態の形をとって、空動きを採用することができる。第１の連続的な状態においては、上部のシールは開いており、下部のシールは閉じており、第２のまたは中間の状態においては、両方のシールは閉じており、第３の様態においては、上部のシールは閉じており、下部のシールは開いており、この状態間の移行は、単一の連続的な操作によって成される。結果として、エアーロック装置によって新しいパッケージが機器内にもたらされるとき、臭気は抑制される。
【０１２９】
第３の実施例は、概要断面図において、種々のステップの間の機器の関連した様態を示す図３９ないし４３を参照してさらに理解されるであろう。
【０１３０】
図３９ないし４３を参照すると、使用済みおむつ（４１０１）は、フィルムカセット（４１０３）下方の空洞（４１０２）内に挿入される。空洞（４１０４）の底は、１つのばねまたは複数のばね（４１０７）によって共に押される２つのローラーまたはバー（４１０５、４１０６）によって閉じられる。ばね装置（４１１０）は１組の同等のばね付きのローラーまたはバー（４１０８、４１０９）を合わせて押すことがなく、それらが開いた状態を保持されているか開いた状態にされているので、空洞の上部は開いている。
【０１３１】
一度おむつが空洞に入ると、タブの外側に位置しているハンドル（４１１１）が引き出される。このハンドルは、タブ内に納まる軸（４１１２）に連結されており、上部の１組のローラー（４１０８、４１０９）を離して、下部の１組のローラー（４１０５、４１０６）を合わせるばね装置（４１０７、４１１０）と係合する。
【０１３２】
ハンドル（４１１１）を操作すると、上部のばね装置（４１１０）における張力は高まり、上部のローラー（４１０８、４１０９）を合わせて押し始める。ハンドル（４１１１）がさらに動かされると、上部のローラー（４１０８、４１０９）が互いに押し付けるまで押す力は増すので、おむつ（４１０１）を含む空洞の上部は閉じる。
【０１３３】
その結果として、同じ方向にさらにハンドルを動かすと、下部の１組のローラー（４１０５、４１０６）を合わせて押しているばね装置（４１０７）における張力は低下し始める。ハンドルが動き続けるにつれて、ばねはローラーを合わせて押すのを止め、その後ローラーを引き離し始める。ハンドルがその行程の終盤で停止すると、下部の１組のローラーは、おむつが空洞から外へ下方の常置の貯蔵容器内へと落ちることができるように、離れる。
【０１３４】
上部および下部の１組のローラーのばね装置は互いに連結されており、同じばねの２つの端部も同様に互いに連結されている、つまり個々のばね装置は、上部ローラーと下部ローラーとの間で連結されているのが好ましい。
【０１３５】
好ましくは、各上部および下部の１組のローラーの１つ（例えば、４１０６、４１０９）は、反対の１組（４１０５、４１０８）が、固定されたローラーに向かってまたは離れて動くときに固定されており、両方の開口部を閉じるかまたは開ける。随意に、各組の固定されたローラーは全くローラーではなく、タブの内壁にある線状の隆起である。
【０１３６】
上部のローラーが合わせて閉じられて、下部のローラーが完全に離れている位置にハンドルがあるとき、使用者が何もしなくてもハンドルが元の位置に戻るように、随意に、システムには十分な伸張が残っている。言い換えると、ハンドルは、ばね装置における位置エネルギーのため、下部の１組のローラーを閉じ、その後上部の１組のローラーを完全に開けながら自然と戻る。
【０１３７】
このシステムは、別の方法では、ハンドルを元の位置に動かしている使用者によってリセットされるように配置されるのが可能である。
【０１３８】
このシステムは、随意に適量に分けるための車輪（dosing wheel）を組み込むことが可能であるので、開始位置において使用者は、下部の１組のローラー（４１０５または４１０６）のうちの１つを手動で回転させることができる。ローラーは、合わせて押されるとフィルムを把持するので、ローラーを回転させるとフィルムは下向きにカセットの外へ引き出され、使用者に、空洞（４１０４）において新しいフィルムを提供する。
【０１３９】
第４の実施例によると、ごみ貯蔵スペースまたは副室は、それぞれ閉じた状態および開いた状態における第４の実施例の実施形態の断面側面図である図４４および４５に示されているような、レバーアクチュエーターの作動によって出口の端が開けられる。レバーは、例えば、ごみパッケージが下方にある貯蔵容器へ落し入れられるようにフィルムカセット下方の開閉装置を開けるフットペダルが可能である。ペダルを解放することによって、開閉装置は閉じられ、基部にある気密の袋内の全てのごみは密閉される。この実施例において、カセットの下方にある貯蔵スペースの基部およびさらなる貯蔵スペースの上方における閉鎖によって臭気は抑制されているので、袋織りを引き抜くことは随意であり、各パッケージ上方にねじれを作り出す必要はない、ということに留意されたい。
【０１４０】
図４４および４５を参照すると、公知の設計（ＷＯ２００５０４２３８１）により、おむつ（５２０１）は、カセットからのフィルム（５２０３）によって覆われている空洞（５２０２）内へ落し入れられる。空洞の底（５２０５）は、空洞と、下方にある貯蔵容器（５２０７）との間に気密シールを提供する装置（５２０６）によって閉じられる。
【０１４１】
おむつを置いた後、蓋（５２０８）は気密の状態で閉じられ、使用者はフットペダル（５２０９）を押す。フットペダルは、空洞の底において開閉装置に連結されているので、一時的に押すことによって装置は解放され、ごみが貯蔵容器を通り抜けて中に落ちるのを可能にする。
【０１４２】
一実施形態において、開閉装置は１組のジョー（５２１０、２１１）である。１つめのジョー（５２１０）は、タブの内壁に固定されているか、または随意にタブの内壁にある機構である。２つめのジョー（５２１１）は、第１のジョーを押すかまたは解放するために移動可能である。第２のジョーは、硬質のバー（５２１２）によって、貯蔵容器の底（５２１４）にある蝶番（５２１３）に固定されている。フットペダルは、おおよそ９０度で同じ硬質のバーに固定されているので、下向きの力がフットペダルにかけられると蝶番に対して回転し、同時に硬質なバーを共に同じ方向に回転させる。硬質なバーが回転すると、第２のジョーは第１のジョーから離れ、おむつのごみは下方の貯蔵容器内に落ちる。
【０１４３】
貯蔵容器の入口を解放可能に密閉するために操作する、あらゆる他の適切な装置が実行される。
【０１４４】
随意に、ジョー（５２１０、５２１１）は、回転する車輪であり、少なくともそれらのうちの１つは使用者によって貯蔵容器の外側から回転されうる。使用者が車輪を回転させてジョーが合わさると（５２０６）、ジョーはフィルムを把持して移動させる。好ましくは、車輪はフィルムを下方へ引く一方の回転方向にのみ移動し、余分なフィルムをカセットから引き出す。
【０１４５】
第５の実施例によると、貯蔵スペースまたは副室は、例えば９０度の間隔で重心軸から突出している複数のロータまたはパドルを有している回転可能な隔壁部材を用いて作り出されており、隔壁は隣接したパドル間に作り出されており、その先端は、隣接した隔壁から保護するために貯蔵スペースの内表面と係合する。要約すると、ごみパッケージは、カセットの中心部を通って空洞またはパドルによって作り出された貯蔵スペース内に落し入れられる。ロータを回転させることによって、ごみパッケージは下に向かって下方にあるさらなる貯蔵スペース内に引き出され、第５の実施例による装置の断面図である図４６と、第５の実施例による操作の種々のステップを断面図において模式的に示す図４７ないし５０と、を参照して理解されるように、同時にフィルムがカセットを通って引き出される。
【０１４６】
図４６ないし５０を参照すると、水平軸（６３０２）を持つロータ（６３０１）およびいくつかのパドル（６３０３、６３０４、６３０５、６３０６）は、フィルムによってしわを寄せられた空洞（６３０７）の下方に位置し、その場所において、フィルム（６３０８）は、本製品と同じ方法において、カセット（６３０９）から提供される。
【０１４７】
おむつ（６３１０）が空洞内に落し入れられると、２つの回転装置（６３１１、６３１２）の間に落ちる。空洞内におむつがあるとき、蓋（６３１３）は閉じ、使用者は、ロータを回転させるハンドル（６３１４）を操作する。それによって、おむつのごみはロータのパドルによって捕らえられ、それらと共に回って通る(pull around)。
【０１４８】
パドルの数および回転量に従って、最初の回転動作の後すぐか、または別のおむつが容器内に落し入れられてロータがさらに回転した後のどちらかに、おむつは貯蔵容器（６３１５）内へ落ちる。
【０１４９】
このシステムは、使用者による回転が、操作毎のパドルに対する所望の角度の移動に制限されるようにラチェット装置と共にセットアップされるので、フィルムは最適に用いられる。
【０１５０】
好ましくは、タブ（６３１７）の内壁には、ロータのパドルによってたどられた外側の弧状部分を補足する、形成された機構（６３１６）があるので、一度ロータがその軸に対して短い距離を回転すると、パドルは形成された機構と接触するのに十分なほど接近し、気密シール（６３１８）を形成する。
【０１５１】
随意に、ロータのブレードは（蝶番が、車軸に対して接触する場所で）折り畳むことができるので、パドルがその弧の底部に到達した後、おむつを貯蔵容器に置いて、カセットの方向に戻って移動し始め、パドルは垂直につり下がっているので、弧の上方部分のはるかに小さなスペースを通過することができる。ゆえに、完全な回転は、別の方法において可能であるよりも小さな容量を占める。
【０１５２】
第６の実施例によると、ごみ貯蔵スペースの入口および出口の端は、ごみ貯蔵袋織りをはさむことができる複数組の閉鎖部材によって閉鎖可能である。閉鎖部材の作動は、断面図において機器の作動を示す図５１ないし５３と、模式的な断面図において第５の実施例による種々の操作可能な状態を示す図５４ないし５６と、を参照して理解されるように、貯蔵スペースの周りの入口の回転によって成し遂げられる。要約すると、おむつは垂直に曲げられうる中心部を通って落し入れられ、その後、頭部または入口全体は垂直線を通って水平軸の周りで傾くので、ごみパッケージに対する開口部は容器の他の側面を向く。傾いている装置は、ばねまたは他の結合装置に連結されているので、貯蔵スペースは最初にごみパッケージ上方で閉じ、その後その下方で開き、それによって、ごみパッケージを下方の貯蔵容器内に通す。第３の実施例を参照して上述されている方法に対して同様の方法が実行され、第３の実施例においては、二組の閉じているローラーがあり、これらは、上部が開くと下部が閉じ、その後、上部が閉じると下部が閉じ、さらに、上部が閉じると下部が開く、という連続的な状態を持ち、状態間の移行も、単一の操作、すなわち、ハンドルを提供するというよりも水平軸に対する上部部分の入口全体の回転によるものである。さらに、第３の実施例を参照して上述されているように、フィルムを下方に引き出すための１つ以上のローラーまたは閉鎖部材を手動で回転できるようにする適量に分けるための車輪が備えられており、使用者に、空洞において新しいフィルムを提供する。
【０１５３】
図５１ないし５６を参照すると、この実施例は第３の実施例と同様である。しかしながら、使用者がハンドルを引く代わりに、カセットホルダー（７４０２）および蓋（７４０３）を含む上部部分（７４０１）は、タブ（７４０５）の下部部分（７４０４）から分けられており、軸（７４０６）または、受け入れる空洞（７４０７）の中心を通過する枢軸の周りを枢動可能である。（結果として、空洞を通過して、おむつを妨げる車軸はない。）
第６の実施例に対する以下の説明はタブの一側面に関連しており、触れられていないが、第２の、全ての機能が鏡像として配置されている、タブに対して反対の側面もある。
【０１５４】
開始位置において、おむつ（７４０８）は、カセット（７４１０）の中心（７４０９）を通り、開いた上部の開閉装置（７４１２、７４１３）を通り、空洞（７４０７）内に落し入れられる。開口部は、垂直ではないが、垂直未満の角度（Ａ）傾いている。おむつの処理を完了させるために、使用者は蓋を押して上部部分全体を枢動させることによって、蓋が最初の位置に対して反対の方向で同様の角度を向くまで垂直線を越えて蓋を後ろへ押す。この動作において、使用者によって、内部のばねシステム（７４１１）は下部の１組のローラー（７４１４、７４１５）を開ける前にまず上部の１組のローラー（７４１２、７４１３）を閉じるので、おむつを貯蔵容器（７４１６）内に落し入れることができる。
【０１５５】
第３の実施例と同様に、開閉装置は、単一の、連続的な使用者の操作で作動し、上部の１組のローラーが開いており下部の１組のローラーが閉じている位置から、両方の組のローラーが閉じている中間の位置を経て、上部の１組のローラーが閉じており下部の１組のローラーが開いている最後の位置まで移動する。しかしながら、この概念は、４つのローラーのうちのいずれもスペースに固定されていないという点で異なる。すなわち、各組の１つのローラー（７４１２、７４１４）は枢動する上部部分に固定されているので、使用者が蓋を押すと、軸（７４０６）に対して上部部分と同じ角度（Ａ）を通って連続的に動く。各組にあるもう１つのローラー（７４１３、７４１５）の軸（７４２３、７４２５）は上部部分に固定されているが、両軸は、上部部分の壁にある弧状のチャネル（７４１９、７４２０）内を自由に移動することができる。
【０１５６】
それぞれのチャネルの範囲内にある、この２組目のローラーの移動を制御するために、開始位置（図５１）において、ばね装置（７４１１）は、軸（７４２３、７４２５）がそれらのチャネル（７４１９、４２０）の一方の端にあるように作動する。
【０１５７】
図５２を参照すると、上部部分が垂直線に向かって傾くことによって、ばね装置（７４１１）は、上部の１組のもう１つのローラー（７４１２）に接触して停止するまでローラー（７４１３）がそのチャネル（７４１９）に沿って移動するよう促すので、空洞の上部においてフィルムは押されて閉じる。
【０１５８】
上部部分がさらに傾けられるにつれて、垂直線を越える（図５３）と、ばね装置（７４１１）は、下部の移動可能なローラー（７４１５）をそれぞれのチャネル（７４２０）に沿って促し、下部の１組のもう１つのローラー（７４１４）に応じて動き、それらの間に開口部（７４２１）を作り出すので、おむつを下方の貯蔵容器内に落し入れることができる。
【０１５９】
随意に、使用者の動作なしで、初めの状態に戻る十分な位置エネルギーを持つようにセットアップすることも可能である。
【０１６０】
第７の実施例によると、方法におけるステップを示している図５７ないし６１において示されている模式的な断面図から理解されるように、機器は、ごみを把持して下に向かってフィルムの層の内部に引く、一連のローラーの形をとる部材を受け取って置く、１つまたは１組のごみパッケージを有する。
【０１６１】
要約すると、１つのレバーを引くことによって４つのローラーを操作するのに必要な装置またはギヤを含む、密閉されたさらなる貯蔵容器内におむつを移動させるために、４つのローラー装置が備えられている。さらに、適量に分けるための車輪は、例えば、使用者に、空洞において新しいフィルムを提供するために、フィルムを把持しているローラーのうちの１つを手動で回転させることによって新しいカセットの最初にフィルムを装填するような、他の実施形態を参照して上述されているように実行される。
【０１６２】
図５７ないし６１を参照すると、おむつ（８５０１）は、水平軸（８５１２、８５１３）と共に配置されている１組の平行するローラー（８５０２、８５０３）の上部に落し入れられる。ローラーは、中にそれぞれ大きなチャネル（８５０４、８５０５）を有しており、開始位置において両方のローラーは、おむつを受け入れるために、互いに上向きで、向き合っている。おむつを置いた後、使用者は次に、チャネルが協働しておむつを捕らえて下方へ引く（図５８ないし６０）ように、ローラーを反対の角度の方向に回転させるハンドル（８５０６）を操作する。
【０１６３】
ハンドルは同時に、上部２つのローラーに直接位置している２組目の平行するローラー（８５０７、８５０８）を、水平軸（８５１７、８５１８）とも合わせて、回転させる。下部のローラーは、中に、回転するときに上部のローラーにあるチャネルとかみ合うように構成されているチャネル（８５０９、８５１０）もまた有しているので、おむつをさらに下へ、下方の貯蔵容器内に引く（図６１）。
【０１６４】
おむつが通り抜けるときにローラーが離れていくように、全てのローラーの軸はわずかに動く。ローラーは、硬質な材料から作られているか、またはよりいっそうおむつを把持するように弾性である。
【０１６５】
ローラーは、１回のハンドル操作が、１回の回転を通して４つのローラー全てを回転させるのに十分であるようにセットアップされるので、各動作が完了した後は次のおむつを受け入れる準備ができている。
【０１６６】
上述されているような種々の実施例の結果、おむつが置かれたとき大きな貯蔵袋から臭気が漏れないようにするエアーロックシステムを備えること、または、おむつをそれぞれ個々のフィルムパッケージで包むこと、のいずれかによって臭気が漏れるのを防がれ、操作は、操作をより単純で容易にする、使用者の１回の動作によるものである。当然のことながら、個々の実施形態におけるステップおよび方法は、必要に応じて、適切な場所で、他の実施形態からのステップおよび方法と結合するか、または並置される。
【０１６７】
上記は、ベースまたは容器を含む完全なごみ貯蔵機器に関して説明されており、ごみ貯蔵機器の上部部分は、上述されたあらゆる実施例の特長を組み込むために変更され、さらに、必要に応じて、既存のベースまたは容器に対して改造されるということが理解されるであろう。
【０１６８】
《参考条項》
［条項１］
入口および出口の端で閉鎖可能な貯蔵スペースを有するごみパッケージ貯蔵機器であって、
ごみパッケージを受け入れるために前記入口の端が開いているとき、前記出口の端は閉じているように配置されており、
前記出口の端の開口部を作動させるために、前記入口の端が閉じているときに開閉可能なアクチュエーターをさらに含む、ごみパッケージ貯蔵機器。
【０１６９】
［条項２］
前記出口の端にさらなる貯蔵スペースを具備する、条項１に記載の機器。
【０１７０】
［条項３］
前記アクチュエーターは回転可能である、条項１または条項２に記載の機器。
【０１７１】
［条項４］
前記出口の端を開けて、実質上閉じるために、前記アクチュエーターは一度の回転において回転可能である、条項３に記載の機器。
【０１７２】
［条項５］
前記アクチュエーターは、手動または自動のうちの一方で操作可能である、条項１ないし条項４のいずれか１項に記載の機器。
【０１７３】
［条項６］
前記アクチュエーターの操作の下、前記貯蔵スペースにおいて締付けを作り出すため、締付けられていない状態と締付けられている状態との間で操作可能な締付け器をさらに具備する、条項３ないし条項５のいずれか１項に記載の機器。
【０１７４】
［条項７］
前記アクチュエーターの回転は、前記貯蔵スペース内のごみパッケージ上方にねじれを作り出すために、ごみ貯蔵袋織りを回転させるようにさらに配置されている、条項３ないし条項６のいずれか１項に記載の機器。
【０１７５】
［条項８］
前記アクチュエーターはアクチュエーターレバーを具備する、条項１または条項２に記載の機器。
【０１７６】
［条項９］
前記アクチュエーターレバーは、Ｌ形の足踏み式レバーを具備する、条項８に記載の機器。
【０１７７】
［条項１０］
前記アクチュエーターの操作によって、開いた一定の間隔を空けられている位置と、閉じた隣接した位置と、の間で相対的に移動可能な第１および第２の閉鎖部材を具備する、条項８または条項９に記載の機器。
【０１７８】
［条項１１］
前記アクチュエーターは、前記開いた一定の間隔を空けられている位置に戻るためにばね付きである、条項１０に記載の機器。
【０１７９】
［条項１２］
少なくとも１つの閉鎖部材は、もう一方に関して移動可能な、条項１０または条項１１に記載の機器。
【０１８０】
［条項１３］
前記閉鎖部材のうちの１つは固定された構成物を具備する、条項１２に記載の機器。
【０１８１】
［条項１４］
ごみ貯蔵袋織りカセットからごみ貯蔵袋織りを引き出すために手動で操作可能な、前記ごみ貯蔵袋織りカセット支持部および適量に分けるための構成物（dosing formation）をさらに具備する、条項１ないし条項１３のいずれか１項に記載の機器。
【０１８２】
［条項１５］
貯蔵スペースの入口および出口の端それぞれに、入口および出口の閉鎖装置を具備するごみパッケージ貯蔵機器であって、
各閉鎖装置は、開いた、一定の間隔を空けられている位置と、閉じた、隣接した位置と、の間で相対的に移動可能な第１および第２の閉鎖部材と、
開いた位置に対する前記入口の端にある、前記第１および第２の閉鎖部材と、閉じた位置に対する前記出口の端にある、前記第１および第２の閉鎖部材と、を同時に動かすように、およびその逆もまた同様に操作可能なアクチュエーターと、
を具備する、ごみパッケージ貯蔵機器。
【０１８３】
［条項１６］
前記閉鎖装置はごみ貯蔵袋織りを閉じるように配置されている、条項１５に記載の機器。
【０１８４】
［条項１７］
前記出口の端からごみパッケージを受け取るためのさらなる貯蔵スペースを具備する、条項１５または条項１６に記載の機器。
【０１８５】
［条項１８］
前記閉鎖部材の少なくとも１つはもう一方に関して移動可能である、条項１５ないし条項１７のいずれか１項に記載の機器。
【０１８６】
［条項１９］
前記閉鎖部材のうちの１つは固定されている、条項１５ないし条項１８のいずれか１項に記載の機器。
【０１８７】
［条項２０］
前記固定された閉鎖部材はごみパッケージ貯蔵機器ハウジング上に構成物を具備する、条項１９に記載の機器。
【０１８８】
［条項２１］
前記閉鎖部材の少なくとも１つは、ローラーを具備する、条項１５ないし条項２０のいずれか１項に記載の機器。
【０１８９】
［条項２２］
中間の位置において、前記入口および出口の閉鎖装置は開いた状態または部分的に開いた状態にある、条項１５ないし条項２１のいずれか１項に記載の機器。
【０１９０】
［条項２３］
前記第１および第２の閉鎖部材は前記閉じた位置の方向に偏っている、条項１５ないし条項２２のいずれか１項に記載の機器。
【０１９１】
［条項２４］
ごみパッケージ貯蔵袋織りカセットからごみパッケージ貯蔵袋織りを引き出すために適量に分けるための構成物をさらに具備する、条項１ないし条項２３のいずれか１項に記載の機器。
【０１９２】
［条項２５］
前記アクチュエーターはレバーを具備する、条項１５ないし条項２４のいずれか１項に記載の機器。
【０１９３】
［条項２６］
前記入口および出口の閉鎖装置は閉じた位置に対して偏っており、
前記アクチュエーターの操作は、前記入口および出口の閉鎖装置の１つに関連した前記偏りを克服し、前記入口および出口の閉鎖装置のもう一方が偏って閉じられるようにする、
条項２５に記載の機器。
【０１９４】
［条項２７］
前記入口の端にある前記第１および第２の閉鎖部材が前記開いた位置にある、入口の開いた位置と、前記入口の端にある前記第１および第２の部材が前記閉じた位置にある、入口の閉じた位置と、の間にある前記貯蔵スペースに対して回転可能な機器の入口をさらに具備する、条項１５ないし条項２４のいずれか１項に記載の機器。
【０１９５】
［条項２８］
使用の際、前記入口は、前記開いた位置および閉じた位置の少なくとも１つにおける前記貯蔵スペース上方の垂直線に関して傾いている、条項２７に記載の機器。
【０１９６】
［条項２９］
前記入口は、前記入口の閉じた状態から前記入口の開いた位置まで回転するために偏っている、条項２７または条項２８に記載の機器。
【０１９７】
［条項３０］
入口と、出口と、２つ以上の隔壁を具備する回転可能な隔壁部材と、を有する貯蔵スペースを具備するごみパッケージ貯蔵装置であって、
前記部材は、第１の隔壁が、ごみパッケージが貯蔵スペースの入口から受け取り可能である、ごみパッケージを受け取る位置にあるとき、第２の隔壁が、ごみパッケージが貯蔵スペースの出口に置くことが可能である、ごみパッケージを置く位置にあるように回転可能である、ごみパッケージ貯蔵装置。
【０１９８】
［条項３１］
前記回転可能な隔壁部材は複数のパドルを有し、隣接したパドルはそれぞれ隔壁を画定している、条項３０に記載の機器。
【０１９９】
［条項３２］
前記貯蔵スペースの一部は、前記受け取る位置と前記置く位置との間のパドルにシールを形成するように構成されている表面を備える、条項３１に記載の機器。
【０２００】
［条項３３］
各パドルは、前記受け取る位置と前記置く位置との間の移動における形状を画定する隔壁と、前記置く位置と前記受け取る位置との間の移動における非活動の位置と、を採用するように蝶番がある、条項３１または３２に記載の機器。
【０２０１】
［条項３４］
前記回転可能な隔壁部材は手動で回転可能である、条項３０ないし条項３３のいずれか１項に記載の機器。
【０２０２】
［条項３５］
前記回転可能な隔壁部材は一定方向に回転可能である、条項３０ないし条項３３のいずれか１項に記載の機器。
【０２０３】
［条項３６］
前記回転可能な隔壁部材にある動作可能なストロークを画定するようにデテントが備えられており、動作可能なストロークは、前記受け取る位置から前記置く位置までの隔壁の移動からなる、条項３０ないし条項３５のいずれか１項に記載の機器。
【０２０４】
［条項３７］
前記ごみパッケージを置く位置においておかれたごみを受け取るための貯蔵スペースをさらに具備する、条項３０ないし条項３６のいずれか１項に記載の機器。
【０２０５】
［条項３８］
少なくとも１つのごみパッケージを受け取る部材と、少なくとも１つのごみパッケージを置く部材と、を有するごみパッケージ貯蔵機器であって、
前記ごみパッケージを受け取る部材は、ごみパッケージを受け取る位置と、ごみパッケージを交換する位置と、の間で回転可能であり、
前記ごみパッケージを置く部材は、ごみパッケージを置く位置と、ごみパッケージを交換する位置と、の間で回転可能であり、
前記ごみパッケージを受け取る部材が、前記ごみパッケージを受け取る位置にあるとき、前記ごみパッケージを置く部材は、前記ごみパッケージを置く位置にあり、
前記ごみパッケージを受け取る部材が、前記ごみパッケージを交換する位置にあるとき、前記ごみパッケージを置く部材もまた、前記部材間の前記ごみパッケージの交換を可能にする前記ごみパッケージを交換する位置にある、
ごみパッケージ貯蔵機器。
【０２０６】
［条項３９］
その中に前記ごみパッケージが貯蔵されるごみパッケージ袋織りを受け取るようにさらに配置されている、条項３８に記載の機器。
【０２０７】
［条項４０］
前記ごみパッケージを受け取る位置および交換する位置の各々において、隣接したそれぞれの貯蔵配置（configuration）からなる第１および第２のごみパッケージを受け取る要素を具備する、条項３８または条項３９に記載の機器。
【０２０８】
［条項４１］
前記交換する位置および置く位置の各々において、隣接したそれぞれの貯蔵配置からなる第１および第２のごみパッケージを受け取ることができる要素をさらに具備する、条項３８ないし条項４０のいずれか１項に記載の機器。
【０２０９】
［条項４２］
複数の前記ごみパッケージを受け取るおよび置く部材の１つまたは各々は、前記受け取るおよび置く位置と、前記交換する位置との間でそれぞれ動く間、反対方向に回転するように調整される、条項３８ないし条項４１のいずれか１項に記載の機器。
【０２１０】
［条項４３］
前記ごみパッケージを受け取るおよび置く部材は手動で回転可能である、条項３８ないし条項４２のいずれか１項に記載の機器。
【０２１１】
［条項４４］
１回の手動の回転は、前記ごみパッケージを受け取るおよび置く部材の１つまたは各々の完全な回転を提供する、条項４３に記載の機器。
【０２１２】
［条項４５］
前記ごみパッケージを受け取る部材および置く部材はそれぞれ、貯蔵構成物を設けるために区切りを取り除かれたローラーを具備する条項３８ないし条項４４のいずれか１項に記載の機器。
【０２１３】
［条項４６］
前記ごみパッケージを受け取るおよび置く部材は外部の把持面を含む、条項３８ないし条項４５のいずれか１項に記載の機器。
【０２１４】
［条項４７］
前記ごみパッケージを受け取るおよび置く部材の１つまたは各々は、半径方向に移動可能な軸にそれぞれ据え付けられている、条項３８ないし４６のいずれか１項に記載の機器。
【０２１５】
［条項４８］
前記ごみ貯蔵カセット支持部の回転に基づく前記貯蔵カセット支持部に隣接した貯蔵スペースにおいて緊縮を作り出すために、
回転可能なごみ貯蔵カセット支持部と、締付けられていない位置と締付けられている位置との間で操作可能な締付け器と、
を含むごみパッケージ貯蔵機器。
【０２１６】
［条項４９］
前記ごみ貯蔵カセット支持部は、締付けられている位置から締付けられていない位置まで回転するように偏っている、条項４８に記載の機器。
【０２１７】
［条項５０］
前記締付け器は、前記ごみ貯蔵カセット支持部に備えられているごみ貯蔵カセットから分配されたごみパッケージ貯蔵袋織り内に緊縮を作り出すように配置されている、条項４８または条項４９に記載の機器。
【０２１８】
［条項５１］
前記締付け器は、前記支持部と共に回転可能な位置と、前記支持部に関して固定されている位置と、の間で突出している複数の弾性部材を具備する、条項４８ないし条項５０のいずれか１項に記載の機器。
【０２１９】
［条項５２］
ごみ貯蔵パッケージを前記貯蔵スペースから出して、隣接したさらなる貯蔵スペース内に促すためのピストンをさらに具備する、条項４８ないし条項５１のいずれか１項に記載の機器。
【０２２０】
［条項５３］
前記ごみ貯蔵カセット支持部は自動的に回転可能である、条項４８ないし条項５２のいずれか１項に記載の機器。
【０２２１】
［条項５４］
条項１ないし条項４７のいずれか１項に記載の機器をさらに具備する、条項４８ないし条項５３のいずれか１項に記載のごみ貯蔵機器。
【０２２２】
［条項５５］
条項１ないし条項５４のいずれか１項に記載の機器を操作する方法。
【０２２３】
［条項５６］
図面を参照して本明細書で十分に説明されている機器または方法。
【図１】
2010064899.tif 000003
【図２】
2010064899.tif 000004
【図３ａ】
2010064899.tif 000005
【図３ｂ】
2010064899.tif 000006
【図３ｃ】
2010064899.tif 000007
【図３ｄ】
2010064899.tif 000008
【図３ｅ】
2010064899.tif 000009
【図３ｆ】
2010064899.tif 000010
【図４ａ】
2010064899.tif 000011
【図４ｂ】
2010064899.tif 000012
【図４ｃ】
2010064899.tif 000013
【図４ｄ】
2010064899.tif 000014
【図５】
2010064899.tif 000015
【図６】
2010064899.tif 000016
【図７ａ】
2010064899.tif 000017
【図７ｂ】
2010064899.tif 000018
【図８ａ】
2010064899.tif 000019
【図８ｂ】
2010064899.tif 000020
【図８ｃ】
2010064899.tif 000021
【図８ｄ】
2010064899.tif 000022
【図９ａ】
2010064899.tif 000023
【図９ｂ】
2010064899.tif 000024
【図９ｃ】
2010064899.tif 000025
【図９ｄ】
2010064899.tif 000026
【図１０ａ】
2010064899.tif 000027
【図１０ｂ】
2010064899.tif 000028
【図１０ｃ】
2010064899.tif 000029
【図１０ｄ】
2010064899.tif 000030
【図１１ａ】
2010064899.tif 000031
【図１１ｂ】
2010064899.tif 000032
【図１１ｃ】
2010064899.tif 000033
【図１１ｄ】
2010064899.tif 000034
【図１２ａ】
2010064899.tif 000035
【図１２ｂ】
2010064899.tif 000036
【図１２ｃ】
2010064899.tif 000037
【図１２ｄ】
2010064899.tif 000038
【図１２ｅ】
2010064899.tif 000039
【図１３】
2010064899.tif 000040
【図１４】
2010064899.tif 000041
【図１５ａ】
2010064899.tif 000042
【図１５ｂ】
2010064899.tif 000043
【図１６】
2010064899.tif 000044
【図１７】
2010064899.tif 000045
【図１８】
2010064899.tif 000046
【図１９】
2010064899.tif 000047
【図２０】
2010064899.tif 000048
【図２１】
2010064899.tif 000049
【図２２】
2010064899.tif 000050
【図２３】
2010064899.tif 000051
【図２４】
2010064899.tif 000052
【図２５】
2010064899.tif 000053
【図２６】
2010064899.tif 000054
【図２７】
2010064899.tif 000055
【図２８】
2010064899.tif 000056
【図２９】
2010064899.tif 000057
【図３０】
2010064899.tif 000058
【図３１】
2010064899.tif 000059
【図３２】
2010064899.tif 000060
【図３３】
2010064899.tif 000061
【図３４】
2010064899.tif 000062
【図３５】
2010064899.tif 000063
【図３６】
2010064899.tif 000064
【図３７】
2010064899.tif 000065
【図３８】
2010064899.tif 000066
【図３９】
2010064899.tif 000067
【図４０】
2010064899.tif 000068
【図４１】
2010064899.tif 000069
【図４２】
2010064899.tif 000070
【図４３】
2010064899.tif 000071
【図４４】
2010064899.tif 000072
【図４５】
2010064899.tif 000073
【図４６】
2010064899.tif 000074
【図４７】
2010064899.tif 000075
【図４８】
2010064899.tif 000076
【図４９】
2010064899.tif 000077
【図５０】
2010064899.tif 000078
【図５１】
2010064899.tif 000079
【図５２】
2010064899.tif 000080
【図５３】
2010064899.tif 000081
【図５４】
2010064899.tif 000082
【図５５】
2010064899.tif 000083
【図５６】
2010064899.tif 000084
【図５７】
2010064899.tif 000085
【図５８】
2010064899.tif 000086
【図５９】
2010064899.tif 000087
【図６０】
2010064899.tif 000088
【図６１】
2010064899.tif 000089
【外国語明細書】
2010064899000001.pdf